(57)【要約】端末がＳＲＳを送信する方法は、基地局から一つのスロットに設定されたＳＲＳシンボル数に関する第１情報及びＳＲＳ伝送のために設定されたシンボルの繰り返し回数に関する第２情報を受信する段階と、；ＳＲＳ伝送のために設定されたシンボルの繰り返し回数が一つのスロットに設定されたＳＲＳシンボル数より大きいか否かを決定する段階と、ＳＲＳ伝送のために設定されたシンボルの繰り返し回数が一つのスロットに設定されたＳＲＳシンボル数より大きいと、ＳＲＳ伝送のために設定されたシンボルの繰り返し回数を一つのスロットに設定されたＳＲＳシンボル数と同じ値に決定する段階と、決定されたＳＲＳ伝送のために設定されたシンボルの繰り返し回数に基づいてＳＲＳを送信する段階を含む。【選択図】図９
2020537437.tif 000002
【特許請求の範囲】
【請求項１】
端末がサウンディング参照信号(Ｓｏｕｎｄｉｎｇ Ｒｅｆｅｒｅｎｃｅ Ｓｉｇｎａｌ、ＳＲＳ)を送信する方法であって、
基地局から一つのスロットに設定されたＳＲＳシンボル数に関する第１情報及びＳＲＳ伝送のために設定されたシンボルの繰り返し回数に関する第２情報を受信する段階と、
前記ＳＲＳ伝送のために設定されたシンボルの繰り返し回数が一つのスロットに設定されたＳＲＳシンボル数より大きいか否かを決定する段階と、
前記ＳＲＳ伝送のために設定されたシンボルの繰り返し回数が前記一つのスロットに設定されたＳＲＳシンボル数より大きいと、前記ＳＲＳ伝送のために設定されたシンボルの繰り返し回数を前記一つのスロットに設定されたＳＲＳシンボル数と同じ値に決定する段階と、
前記決定されたＳＲＳ伝送のために設定されたシンボルの繰り返し回数に基づいて前記ＳＲＳを送信する段階を含む、ＳＲＳ送信方法。
【請求項２】
さらに前記基地局からＳＲＳ帯域幅を示す第１パラメータ値に関する情報とＳＲＳ周波数ホッピング帯域幅を示す第２パラメータ値に関する情報を受信する段階を含み、
前記第１パラメータ値が前記第２パラメータ値より大きい場合、前記ＳＲＳはスロットレベルにホッピングされて送信される、請求項１に記載のＳＲＳ送信方法。
【請求項３】
前記決定されたＳＲＳ伝送のために設定されたシンボルの繰り返し回数は、少なくとも２つのスロットにわたる繰り返し回数であり、
前記ＳＲＳは前記少なくとも２つのスロットにわたって送信される、請求項１に記載のＳＲＳ送信方法。
【請求項４】
前記決定されたＳＲＳ伝送のために設定されたシンボルの繰り返し回数は、一つのスロットにわたる繰り返し回数であり、
前記ＳＲＳは一つのスロットにわたって周波数ホッピングなしに送信される、請求項１に記載のＳＲＳ送信方法。
【請求項５】
前記第１情報及び前記第２情報はＲＲＣ(Ｒａｄｉｏ Ｒｅｓｏｕｒｃｅ Ｃｏｎｔｒｏｌ)シグナリングにより受信される、請求項１に記載のＳＲＳ送信方法。
【請求項６】
基地局がサウンディング参照信号(Ｓｏｕｎｄｉｎｇ Ｒｅｆｅｒｅｎｃｅ Ｓｉｇｎａｌ、ＳＲＳ)を受信する方法であって、
一つのスロットに設定されたＳＲＳシンボル数に関する第１情報及びＳＲＳ伝送のために設定されたシンボルの繰り返し回数に関する第２情報を端末に送信する段階と、
前記ＳＲＳ伝送のために設定されたシンボルの繰り返し回数が一つのスロットに設定されたＳＲＳシンボル数より大きいと、前記ＳＲＳ伝送のために設定されたシンボルの繰り返し回数を前記一つのスロットに設定されたＳＲＳシンボル数と同じ値に決定する段階と、
前記決定されたＳＲＳ伝送のために設定されたシンボルの繰り返し回数に基づいて前記ＳＲＳを受信する段階を含む、ＳＲＳ受信方法。
【請求項７】
さらに前記ＳＲＳ帯域幅を示す第１パラメータ値に関する情報とＳＲＳ周波数ホッピング帯域幅を示す第２パラメータ値に関する情報を前記端末に送信する段階を含み、
前記第１パラメータ値が前記第２パラメータ値より大きい場合、前記ＳＲＳはスロットレベルにホッピングされて受信される、請求項６に記載のＳＲＳ受信方法。
【請求項８】
前記決定されたＳＲＳ伝送のために設定されたシンボルの繰り返し回数は、少なくとも２つのスロットにわたる繰り返し回数であり、
前記ＳＲＳは前記少なくとも２つのスロットにわたって受信される、請求項６に記載のＳＲＳ受信方法。
【請求項９】
前記決定されたＳＲＳ伝送のために設定されたシンボルの繰り返し回数は、一つのスロットにわたる繰り返し回数であり、
前記ＳＲＳは一つのスロットにわたって周波数ホッピングなしに受信される、請求項６に記載のＳＲＳ受信方法。
【請求項１０】
前記第１情報及び前記第２情報はＲＲＣ(Ｒａｄｉｏ Ｒｅｓｏｕｒｃｅ Ｃｏｎｔｒｏｌ)シグナリングにより送信される、請求項６に記載のＳＲＳ受信方法。
【請求項１１】
サウンディング参照信号(Ｓｏｕｎｄｉｎｇ Ｒｅｆｅｒｅｎｃｅ Ｓｉｇｎａｌ、ＳＲＳ)を送信する端末であって、
基地局から一つのスロットに設定されたＳＲＳシンボル数に関する第１情報及びＳＲＳ伝送のために設定されたシンボルの繰り返し回数に関する第２情報を受信する受信機と、
前記ＳＲＳ伝送のために設定されたシンボルの繰り返し回数が一つのスロットに設定されたＳＲＳシンボル数より大きいか否かを決定し、
前記ＳＲＳ伝送のために設定されたシンボルの繰り返し回数が前記一つのスロットに設定されたＳＲＳシンボル数より大きいと、前記ＳＲＳ伝送のために設定されたシンボルの繰り返し回数を前記一つのスロットに設定されたＳＲＳシンボル数と同じ値に決定するプロセッサと、
前記決定されたＳＲＳ伝送のために設定されたシンボルの繰り返し回数に基づいて前記ＳＲＳを送信する送信機を含む、端末。
【請求項１２】
前記受信機は前記基地局からＳＲＳ帯域幅を示す第１パラメータ値に関する情報とＳＲＳ周波数ホッピング帯域幅を示す第２パラメータ値に関する情報を受信し、
前記プロセッサは、前記第１パラメータ値が前記第２パラメータ値より大きい場合、前記送信機は前記ＳＲＳをスロットレベルにホッピングして送信するように制御する、請求項１１に記載の端末。
【請求項１３】
前記受信機は前記第１情報及び前記第２情報をＲＲＣ(Ｒａｄｉｏ Ｒｅｓｏｕｒｃｅ Ｃｏｎｔｒｏｌ)シグナリングにより受信する、請求項１１に記載の端末。
【請求項１４】
サウンディング参照信号(Ｓｏｕｎｄｉｎｇ Ｒｅｆｅｒｅｎｃｅ Ｓｉｇｎａｌ、ＳＲＳ)を受信する基地局であって、
一つのスロットに設定されたＳＲＳシンボル数に関する第１情報及びＳＲＳ伝送のために設定されたシンボルの繰り返し回数に関する第２情報を端末に送信する送信機と、
前記ＳＲＳ伝送のために設定されたシンボルの繰り返し回数が一つのスロットに設定されたＳＲＳシンボル数より大きいと、前記ＳＲＳ伝送のために設定されたシンボルの繰り返し回数を前記一つのスロットに設定されたＳＲＳシンボル数と同じ値に決定するプロセッサと、
前記決定されたＳＲＳ伝送のために設定されたシンボルの繰り返し回数に基づいて前記ＳＲＳを受信する受信機を含む、基地局。
【請求項１５】
前記送信機はＳＲＳ帯域幅を示す第１パラメータ値に関する情報とＳＲＳ周波数ホッピング帯域幅を示す第２パラメータ値に関する情報を前記端末に送信し、
前記プロセッサは前記第１パラメータ値が前記第２パラメータ値えより大きい場合、前記受信機がスロットレベルにホッピングされたＳＲＳを受信するように制御する、請求項１４に記載の基地局。
【発明の詳細な説明】
【技術分野】
【０００１】
本発明は無線通信に関し、より詳細には、ＳＲＳを送信及び受信する方法とそのための通信装置に関する。
【背景技術】
【０００２】
ＲＡＴ(Ｎｅｗ ｒａｄｉｏ ａｃｃｅｓｓ ｔｅｃｈｎｏｌｏｇｙ)システムが導入される場合、より多い通信機器がより大きい通信容量を要求することにより、既存のＲＡＴに比べて向上した無線広帯域(ｍｏｂｉｌｅ ｂｒｏａｄｂａｎｄ)通信に対する必要性が台頭しつつある。
【０００３】
また、複数の機器及びモノを連結していつでもどこでも様々なサービスを提供する大規模ＭＴＣ(ｍａｓｓｉｖｅ Ｍａｃｈｉｎｅ Ｔｙｐｅ Ｃｏｍｍｕｎｉｃａｔｉｏｎｓ)が次世代通信において考慮すべき重要なイッシュの１つである。のみならず、信頼度(ｒｅｌｉａｂｉｌｉｔｙ)及びレイテンシ(ｌａｔｅｎｃｙ)に敏感なサービス／ＵＥを考慮した通信システムデザインが論議されている。このように、Ｎｅｗ ＲＡＴでは、ｅＭＢＢ(ｅｎｈａｎｃｅｄ ｍｏｂｉｌｅ ｂｒｏａｄｂａｎｄ ｃｏｍｍｕｎｉｃａｔｉｏｎ)、ｍＭＴＣ(ｍａｓｓｉｖｅ ＭＴＣ)、ＵＲＬＬＣ(Ｕｌｔｒａ−Ｒｅｌｉａｂｌｅ ａｎｄ Ｌｏｗ Ｌａｔｅｎｃｙ Ｃｏｍｍｕｎｉｃａｔｉｏｎ)などを考慮したサービスを提供しようとする。
【発明の概要】
【発明が解決しようとする課題】
【０００４】
本発明が遂げようとする技術的課題は、端末がＳＲＳを送信する方法を提供することにある。
【０００５】
本発明が遂げようとする他の技術的課題は、基地局がＳＲＳを受信する方法を提供することにある。
【０００６】
本発明が遂げようとするさらに他の技術的課題は、ＳＲＳを送信する端末を提供することにある。
【０００７】
本発明が遂げようとするさらに他の技術的課題は、ＳＲＳを受信する基地局を提供することにある。
【０００８】
本発明で遂げようとする技術的課題は以上で言及した事項に限定されず、言及していない別の技術的課題は、以下に説明する本発明の実施例から、本発明の属する技術の分野における通常の知識を有する者に明確に理解されるであろう。
【課題を解決するための手段】
【０００９】
上記技術的課題を達成するための、端末がサウンディング参照信号(Ｓｏｕｎｄｉｎｇ Ｒｅｆｅｒｅｎｃｅ Ｓｉｇｎａｌ、ＳＲＳ)を送信する方法は、基地局から一つのスロットに設定されたＳＲＳシンボル数に関する第１情報及びＳＲＳ伝送のために設定されたシンボルの繰り返し回数に関する第２情報を受信する段階と、ＳＲＳ伝送のために設定されたシンボルの繰り返し回数が一つのスロットに設定されたＳＲＳシンボル数より大きいか否かを決定する段階と、ＳＲＳ伝送のために設定されたシンボルの繰り返し回数が一つのスロットに設定されたＳＲＳシンボル数より大きいと、ＳＲＳ伝送のために設定されたシンボルの繰り返し回数を一つのスロットに設定されたＳＲＳシンボル数と同じ値に決定する段階と、該決定されたＳＲＳ伝送のために設定されたシンボルの繰り返し回数に基づいてＳＲＳを送信する段階を含む。
【００１０】
上記方法は、さらに基地局からＳＲＳ帯域幅を示す第１パラメータ値に関する情報とＳＲＳ周波数ホッピング帯域幅を示す第２パラメータ値に関する情報を受信する段階を含み、第１パラメータ値が第２パラメータ値より大きい場合、ＳＲＳはスロットレベルにホッピングされて送信される。
【００１１】
上記決定されたＳＲＳ伝送のために設定されたシンボルの繰り返し回数は、少なくとも２つのスロットにわたる繰り返し回数であり、ＳＲＳは少なくとも２つのスロットにわたって送信される。上記決定されたＳＲＳ伝送のために設定されたシンボルの繰り返し回数は、一つのスロットにわたる繰り返し回数であり、ＳＲＳは一つのスロットにわたって周波数ホッピングなしに送信されることができる。
【００１２】
第１情報及び第２情報はＲＲＣ(Ｒａｄｉｏ Ｒｅｓｏｕｒｃｅ Ｃｏｎｔｒｏｌ)シグナリングにより受信される。
【００１３】
上記他の技術的課題を達成するための、基地局がＳＲＳを受信する方法は、一つのスロットに設定されたＳＲＳシンボル数に関する第１情報及びＳＲＳ伝送のために設定されたシンボルの繰り返し回数に関する第２情報を端末に送信する段階と、ＳＲＳ伝送のために設定されたシンボルの繰り返し回数が一つのスロットに設定されたＳＲＳシンボル数より大きいと、ＳＲＳ伝送のために設定されたシンボルの繰り返し回数を一つのスロットに設定されたＳＲＳシンボル数と同じ値に決定する段階と、該決定されたＳＲＳ伝送のために設定されたシンボルの繰り返し回数に基づいてＳＲＳを受信する段階を含む。
【００１４】
上記方法は、さらにＳＲＳ帯域幅を示す第１パラメータ値に関する情報とＳＲＳ周波数ホッピング帯域幅を示す第２パラメータ値に関する情報を端末に送信する段階を含み、第１パラメータ値が第２パラメータ値より大きい場合、ＳＲＳはスロットレベルにホッピングされて受信される。
【００１５】
上記決定されたＳＲＳ伝送のために設定されたシンボルの繰り返し回数は、少なくとも２つのスロットにわたる繰り返し回数であり、ＳＲＳは少なくとも２つのスロットにわたって受信される。上記決定されたＳＲＳ伝送のために設定されたシンボルの繰り返し回数は、一つのスロットにわたる繰り返し回数であり、ＳＲＳは一つのスロットにわたって周波数ホッピングなしに受信されることができる。第１情報及び第２情報はＲＲＣ(Ｒａｄｉｏ Ｒｅｓｏｕｒｃｅ Ｃｏｎｔｒｏｌ)シグナリングにより送信される。
【００１６】
上記さらに他の技術的課題を達成するための、ＳＲＳを送信する端末は、基地局から一つのスロットに設定されたＳＲＳシンボル数に関する第１情報及びＳＲＳ伝送のために設定されたシンボルの繰り返し回数に関する第２情報を受信する受信機と、ＳＲＳ伝送のために設定されたシンボルの繰り返し回数が一つのスロットに設定されたＳＲＳシンボル数より大きいか否かを決定し、ＳＲＳ伝送のために設定されたシンボルの繰り返し回数が一つのスロットに設定されたＳＲＳシンボル数より大きいと、ＳＲＳ伝送のために設定されたシンボルの繰り返し回数を一つのスロットに設定されたＳＲＳシンボル数と同じ値に決定するプロセッサと、該決定されたＳＲＳ伝送のために設定されたシンボルの繰り返し回数に基づいてＳＲＳを送信する送信機を含む。
【００１７】
受信機は基地局からＳＲＳ帯域幅を示す第１パラメータ値に関する情報とＳＲＳ周波数ホッピング帯域幅を示す第２パラメータ値に関する情報を受信し、プロセッサは、第１パラメータ値が第２パラメータ値より大きい場合、送信機はＳＲＳをスロットレベルにホッピングして送信するように制御する。受信機は第１情報及び第２情報をＲＲＣ(Ｒａｄｉｏ Ｒｅｓｏｕｒｃｅ Ｃｏｎｔｒｏｌ)シグナリングにより受信する。
【００１８】
上記さらに他の技術的課題を達成するための、サウンディング参照信号(Ｓｏｕｎｄｉｎｇ Ｒｅｆｅｒｅｎｃｅ Ｓｉｇｎａｌ、ＳＲＳ)を受信する基地局は、一つのスロットに設定されたＳＲＳシンボル数に関する第１情報及びＳＲＳ伝送のために設定されたシンボルの繰り返し回数に関する第２情報を端末に送信する送信機と、ＳＲＳ伝送のために設定されたシンボルの繰り返し回数が一つのスロットに設定されたＳＲＳシンボル数より大きいと、ＳＲＳ伝送のために設定されたシンボルの繰り返し回数を一つのスロットに設定されたＳＲＳシンボル数と同じ値に決定するプロセッサと、該決定されたＳＲＳ伝送のために設定されたシンボルの繰り返し回数に基づいてＳＲＳを受信する受信機を含む。送信機はＳＲＳ帯域幅を示す第１パラメータ値に関する情報とＳＲＳ周波数ホッピング帯域幅を示す第２パラメータ値に関する情報を端末に送信し、プロセッサは第１パラメータ値が第２パラメータ値より大きい場合、受信機がスロットレベルにホッピングされたＳＲＳを受信するように制御する。
【発明の効果】
【００１９】
本発明の一実施例によれば、ｒ＞Ｎｓｙｍｂｏｌである場合にも、端末と基地局が間違いなくＳＲＳ送信(インタースロットのホッピングなどが可能)及び受信を効率的を行うことができる。
【００２０】
本発明で得られる効果は以上に言及した効果に制限されず、言及しなかった他の効果は下記の記載から本発明が属する当該技術分野における当業者に明確に理解されるであろう。
【図面の簡単な説明】
【００２１】
本発明に関する理解を助けるために詳細な説明の一部として含まれる添付の図面は、本発明に関する実施例を提供し、詳細な説明と共に本発明の技術的思想を説明する。
【００２２】
【図１】本発明を具現するための無線通信システムを例示する図である。
【図２ａ】ＴＸＲＵ ｖｉｒｔｕａｌｉｚａｔｉｏｎ ｍｏｄｅｌ ｏｐｔｉｏｎ １(ｓｕｂ−ａｒｒａｙ ｍｏｄｅｌ)を示す図である。
【図２ｂ】ＴＸＲＵ ｖｉｒｔｕａｌｉｚａｔｉｏｎ ｍｏｄｅｌ ｏｐｔｉｏｎ ２(ｆｕｌｌ ｃｏｎｎｅｃｔｉｏｎ ｍｏｄｅｌ)を示す図である。
【図３】ハイブリッドビームフォーミングのためのブロック図である。
【図４】ハイブリッドビームフォーミングにおいてＢＲＳシンボルにマッピングされたビームの例を示す図である。
【図５】異なるニューマロロジー(ｎｕｍｅｒｏｌｏｇｙ)間のシンボル／サブ−シンボル整列(ａｌｉｇｎｍｅｎｔ)を例示する図である。
【図６】２つの長さ２６−Ｇｏｌａｙ Ｃｏｍｐｌｅｍｅｎｔａｒｙ Ｓｅｑｕｅｎｃｅ ｐａｉｒを用いた長さ５２-自己相関(ａｕｔｏｃｏｒｒｅｌａｔｉｏｎ)の性能を示す図である。
【図７】長さ５２のＧｏｌａｙシーケンスにおいて互いに異なるＣＳを有するシーケンスの間の交差相関(ｃｒｏｓｓ−ｃｏｒｒｅｌａｔｉｏｎ)を示す図である。
【図８】ＺＣ、Ｇｏｌａｙ、ＰＮシーケンスの交差相関及びキュービックメトリック(ｃｕｂｉｃ−ｍｅｔｒｉｃ)評価(ｅｖａｌｕａｔｉｏｎ)を示す図である。
【図９】ＬＴＥホッピングパターンを例示する図である(ｎｓ＝１−＞ｎｓ＝４)。
【図１０】上りリンクビ−ム管理用マルチシンボルＳＲＳトリガリングを例示する図である。
【図１１】ホッピングパターンα1(l',ns)によるＳＲＳシーケンス生成パラメータの組み合わせ{ＴＣ(α1(l',ns)),ＣＳ(α1(l',ns))}を例示する図である。
【図１２】ホッピングにおける端末間衝突の発生を例示する図である。
【図１３】シンボルレベルのホッピングパラメータはＲＲＣシグナリングにより送信され、スロットレベルのホッピングパラメータはＤＣＩシグナリングにより送信される例示を示す図である。
【図１４】基地局がシンボルレベルのホッピングパラメータをＤＣＩシグナリングにより送信し、スロットレベルのホッピングパラメータはＲＲＣシグナリングにより送信する場合を例示する図である。
【図１５】提案２−１−２によって、基地局がシンボルレベルのホッピングパラメータをＲＲＣシグナリングにより送信し、スロットレベルのホッピングパラメータはＤＣＩにより送信する場合を例示する図である。
【図１６】提案２−１−３によるシンボルレベルのホッピング設定のためのパラメータ及びスロットレベルのホッピング設定のためのパラメータをＲＲＣシグナリングにより送信することを例示する図である。
【図１７】ホッピング周期ごとに異なるシンボルレベルのホッピングパターンの適用を例示する図である。
【図１８】非周期的ＳＲＳの送信時、同一のシンボルレベルのホッピングパターンの適用を例示する図である。
【図１９】非周期的ＳＲＳの送信時、異なるシンボルレベルのホッピングパターンの適用を例示する図である。
【図２０】非周期的ＳＲＳの送信時、異なるシンボルレベルのホッピングパターンの適用を例示する図である(部分帯域(ｐａｒｔｉａｌ ｂａｎｄ)にわたったホッピング)。
【図２１】非周期的ＳＲＳの送信時、異なるシンボルレベルのホッピングパターンの適用を例示する図である(特定の副帯域にわたったホッピング)。
【図２２】非周期的ＳＲＳの送信時、ホッピングパラメータセットを用いた要請フィールド(ｒｅｑｕｅｓｔ ｆｉｅｌｄ)送信によるＳＲＳ送信を例示する図である。
【図２３】Ｔｒｉｇｇｅｒｉｎｇ ｃｏｕｎｔｅｒ Ｎ＝３である時、ホッピングを例示する図である。
【図２４】繰り返し回数を２に設定した時(Ｒｅｐｅｔｉｔｉｏｎ ｒ＝２)のシンボルレベルのホッピングを例示する図である。
【図２５】ＳＲＳのシンボル数によるホッピングパターンを例示する図である。
【図２６】ＳＲＳのシンボル数によるホッピングパターン(ＳＲＳスロット内のＳＲＳのシンボル数がシンボルホッピング周期より小さい場合)を例示する図である。
【図２７】以下のケース１−１に関する説明を例示する図である。
【図２８】以下のケース１−２に関する説明を例示する図である。
【図２９】以下のケース２に関する説明を例示する図である。
【図３０】以下のケース３に関する説明を例示する図である。
【図３１】周期的／非周期的ＳＲＳの送信時、固定されたＳＲＳリソース位置の設定を例示する図である。
【図３２】周期的／非周期的トリガリングの時、部分帯域間のホッピング設定を例示する図である。
【図３３】周期的／非周期的ＳＲＳトリガリングの時、部分帯域間のホッピング設定を例示する図である。
【図３４】周期的／非周期的ＳＲＳトリガリングの時、ＳＲＳリソースの位置を変更する例示を示す図である(部分帯域は固定)。
【図３５】周期的／非周期的ＳＲＳトリガリングの時、ＳＲＳリソースの位置を可変する例示を示す図である(部分帯域の位置が可変)。
【図３６】Ｎａｒｒｏｗ ｂａｎｄ ＲＦ能力を有する端末のＲＦ ｒｅ−ｔｕｎｉｎｇを考慮したシンボルレベルのホッピングパターンを例示する図である。
【図３７】提案６に関連して端末がＳＲＳを送信するためのプロシージャを例示する図である。
【図３８】提案６に関連して基地局がＳＲＳを受信するためのプロシージャを例示する図である。
【図３９】提案６に関連するＳＲＳを送信するための端末及びＳＲＳを受信するための基地局を示すブロック図である。
【発明を実施するための形態】
【００２３】
以下、本発明に係る好適な実施の形態を、添付の図面を参照して詳しく説明する。添付の図面と共に以下に開示される詳細な説明は、本発明の例示的な実施の形態を説明するためのものであり、本発明が実施し得る唯一の実施の形態を示すためのものではない。以下の詳細な説明は、本発明の完全な理解を提供するために具体的な細部事項を含む。しかし、当業者にとってはこのような具体的な細部事項なしにも本発明を実施できることは明らかである。例えば、以下の詳細な説明では、移動通信システムが３ＧＰＰ ＬＴＥ、ＬＴＥ−Ａシステム、５Ｇシステムである場合を仮定して具体的に説明するが、３ＧＰＰ ＬＴＥ、ＬＴＥ−Ａ特有の事項以外は、他の任意の移動通信システムにも適用可能である。
【００２４】
場合によっては、本発明の概念が曖昧になることを避けるために、公知の構造及び装置を省略したり、各構造及び装置の核心機能を中心とするブロック図の形式で示す。また、本明細書全体にわたって同一の構成要素については、同一の図面符号を付して説明する。
【００２５】
さらに、以下の説明において、端末は、ＵＥ(Ｕｓｅｒ Ｅｑｕｉｐｍｅｎｔ)、ＭＳ(Ｍｏｂｉｌｅ Ｓｔａｔｉｏｎ)、ＡＭＳ(Ａｄｖａｎｃｅｄ Ｍｏｂｉｌｅ Ｓｔａｔｉｏｎ)など移動又は固定型のユーザ端機器を総称すると仮定する。また、基地局は、Ｎｏｄｅ Ｂ、ｅＮｏｄｅ Ｂ、Ｂａｓｅ Ｓｔａｔｉｏｎ、ＡＰ(Ａｃｃｅｓｓ Ｐｏｉｎｔ)などの端末と通信するネットワーク端の任意のノードを総称すると仮定する。
【００２６】
移動通信システムにおいて、端末或いはユーザ機器(Ｕｓｅｒ Ｅｑｕｉｐｍｅｎｔ)は基地局から下りリンクにより情報を受信することができ、端末は上りリンクにより情報を送信することができる。端末が送信又は受信する情報としては、データ及び様々な制御情報があり、端末が送信又は受信する情報の種類用途によって様々な物理チャネルが存在する。
【００２７】
以下の技術は、ＣＤＭＡ(ｃｏｄｅ ｄｉｖｉｓｉｏｎ ｍｕｌｔｉｐｌｅ ａｃｃｅｓｓ)、ＦＤＭＡ(ｆｒｅｑｕｅｎｃｙ ｄｉｖｉｓｉｏｎ ｍｕｌｔｉｐｌｅ ａｃｃｅｓｓ)、ＴＤＭＡ(ｔｉｍｅ ｄｉｖｉｓｉｏｎ ｍｕｌｔｉｐｌｅ ａｃｃｅｓｓ)、ＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)、ＳＣ−ＦＤＭＡ(ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ)などのような様々な無線接続システムに用いることができる。ＣＤＭＡは、ＵＴＲＡ(Ｕｎｉｖｅｒｓａｌ Ｔｅｒｒｅｓｔｒｉａｌ Ｒａｄｉｏ Ａｃｃｅｓｓ)やＣＤＭＡ２０００のような無線技術(ｒａｄｉｏ ｔｅｃｈｎｏｌｏｇｙ)によって具現できる。ＴＤＭＡは、ＧＳＭ(Ｇｌｏｂａｌ Ｓｙｓｔｅｍ ｆｏｒ Ｍｏｂｉｌｅ ｃｏｍｍｕｎｉｃａｔｉｏｎｓ)／ＧＰＲＳ(Ｇｅｎｅｒａｌ Ｐａｃｋｅｔ Ｒａｄｉｏ Ｓｅｒｖｉｃｅ)／ＥＤＧＥ(Ｅｎｈａｎｃｅｄ Ｄａｔａ Ｒａｔｅｓ ｆｏｒ ＧＳＭ Ｅｖｏｌｕｔｉｏｎ)のような無線技術によって具現できる。ＯＦＤＭＡは、ＩＥＥＥ ８０２．１１(Ｗｉ−Ｆｉ)、ＩＥＥＥ ８０２．１６(ＷｉＭＡＸ)、ＩＥＥＥ ８０２−２０、Ｅ−ＵＴＲＡ(Ｅｖｏｌｖｅｄ ＵＴＲＡ)などのような無線技術によって具現できる。ＵＴＲＡは、ＵＭＴＳ(Ｕｎｉｖｅｒｓａｌ Ｍｏｂｉｌｅ Ｔｅｌｅｃｏｍｍｕｎｉｃａｔｉｏｎｓ Ｓｙｓｔｅｍ)の一部である。３ＧＰＰ(３ｒｄ Ｇｅｎｅｒａｔｉｏｎ Ｐａｒｔｎｅｒｓｈｉｐ Ｐｒｏｊｅｃｔ)ＬＴＥ(ｌｏｎｇ ｔｅｒｍ ｅｖｏｌｕｔｉｏｎ)は、Ｅ−ＵＴＲＡを用いるＥ−ＵＭＴＳ(Ｅｖｏｌｖｅｄ ＵＭＴＳ)の一部であり、下りリンクではＯＦＤＭＡを採用し、上りリンクではＳＣ−ＦＤＭＡを採用する。ＬＴＥ−Ａ(Ａｄｖａｎｃｅｄ)は、３ＧＰＰ ＬＴＥの進化したバージョンである。
【００２８】
以下の説明で使う特定の用語は本発明の理解を助けるために提供するものであり、かかる特定の用語の使用は本発明の技術的思想を逸脱しない範疇内で他の形態に変更可能である。
【００２９】
図１は本発明を具現するための無線通信システムを例示する図である。
【００３０】
図１を参照すると、無線通信システムは基地局(ＢＳ)１０及び一つ以上の端末(ＵＥ)２０を含む。下りリンクにおいて、送信機はＢＳ１０の一部であり、受信機はＵＥ２０の一部である。上りリンクにおいて、ＢＳ１０はプロセッサ１１、メモリ１２及び無線周波数(ＲＦ)ユニット１３(送信機及び受信機)を含む。プロセッサ１１は本発明に記載された手順及び／又は方法を具現するように構成される。メモリ１２はプロセッサ１１に結合してプロセッサ１１を動作させるための様々な情報を格納する。ＲＦユニット１３はプロセッサ１１に結合して無線信号を送信及び／又は受信する。ＵＥ２０はプロセッサ２１、メモリ２２及びＲＦユニット２３(送信機及び受信機)を含む。プロセッサ２１は本発明に記載された手順及び／又は方法を具現するように構成される。メモリ２２はプロセッサ２１に結合してプロセッサ２１を動作させるための様々な情報を格納する。ＲＦユニット２３はプロセッサ２１に結合して無線信号を送信及び／又は受信する。ＢＳ１０及び／又はＵＥ２０は単一アンテナ及び多重アンテナを有する。ＢＳ１０及びＵＥ２０のうちのいずれかが多重アンテナを有する場合、無線通信システムはＭＩＭＯ(ｍｕｌｔｉｐｌｅ ｉｎｐｕｔ ｍｕｌｔｉｐｌｅ ｏｕｔｐｕｔ)システムとも呼ばれる。
【００３１】
この明細書において、端末のプロセッサ２１及び基地局のプロセッサ１１は夫々端末２０及び基地局１０が信号を受信又は送信する機能及び格納機能などを除いて、信号及びデータを処理する動作を行うが、説明の便宜のために、以下では特にプロセッサ１１，２１を言及しない。特に言及しなくても、信号を受信又は送信する機能ではない、データ処理などの一連の動作を行うと言える。
【００３２】
端末２０と基地局１０の無線通信システム(ネットワーク)の間の無線インターフェースプロトタイプのレイヤは、通信システムで公知のＯＳＩ(ｏｐｅｎ ｓｙｓｔｅｍ ｉｎｔｅｒｃｏｎｎｅｃｔｉｏｎ)モデルの下位３個の階層に基づいて、第１階層(Ｌ１)、第２階層(Ｌ２)及び第３階層(Ｌ３)に分類される。物理階層は第１階層に属し、物理チャネルを介して情報送信サービスを提供する。ＲＲＣ(Ｒａｄｉｏ Ｒｅｓｏｕｒｃｅ Ｃｏｎｔｒｏｌ)階層は第３階層に属し、ＵＥとネットワークの間の制御無線リソースを提供する。端末１０、基地局２０は無線通信システムとＲＲＣ階層を介してＲＲＣメッセージを交換することができる。
【００３３】
アナログビームフォーミング(Ａｎａｌｏｇ Ｂｅａｍｆｏｒｍｉｎｇ)
【００３４】
Ｍｉｌｌｉｍｅｔｅｒ Ｗａｖｅ(ｍｍＷ)では波長が短くなるため、同一面積に多数のアンテナ要素の設置が可能である。即ち、３０ＧＨｚ帯域において波長は１ｃｍであって、４ｂｙ４ｃｍのパネルに０．５ｌａｍｂｄａ(波長)間隔で２−ｄｉｍｅｎｓｉｏｎ（２次元）配列である全６４(８×８)のアンテナ要素を設けることができる。これにより、ｍｍＷでは、多数のアンテナ要素を使用してビームフォーミング(ＢＦ)利得を高めてカバレッジを増加させたりスループット(ｔｈｒｏｕｇｈｐｕｔ)を増加させたりすることができる。
【００３５】
この時、アンテナ要素別に送信パワー及び位相の調節ができるように、ＴＸＲＵ(Ｔｒａｎｓｃｅｉｖｅｒ Ｕｎｉｔ)を備えると、周波数リソース別に独立したビームフォーミングが可能である。しかし、１００余個の全てのアンテナ要素にＴＸＲＵを設けることは費用面で実効性に乏しい問題がある。従って、１つのＴＸＲＵに多数のアンテナ要素をマッピングし、アナログ位相シフター(ａｎａｌｏｇ ｐｈａｓｅ ｓｈｉｆｔｅｒ)でビーム方向を調節する方式が考えられる。かかるアナログビームフォーミング方式では全帯域において１つのビーム方向のみが形成できるので、周波数選択的なビームフォーミングができないというデメリットがある。
【００３６】
デジタルビームフォーミング(Ｄｉｇｉｔａｌ ＢＦ)とアナログビームフォーミング(Ａｎａｌｏｇ ＢＦ)の中間形態として、Ｑ個のアンテナ要素より少ない数のＢ個のＴＸＲＵを有するハイブリッドビームフォーミング(Ｈｙｂｒｉｄ ＢＦ)が考えられる。この場合、Ｂ個のＴＸＲＵとＱ個のアンテナ要素の接続方式によって差はあるが、同時に送信可能なビームの方向はＢ個以下に制限される。
【００３７】
図２ａはＴＸＲＵ ｖｉｒｔｕａｌｉｚａｔｉｏｎ ｍｏｄｅｌ ｏｐｔｉｏｎ １(ｓｕｂ−ａｒｒａｙ ｍｏｄｅｌ)を示す図であり、図２ｂはＴＸＲＵ ｖｉｒｔｕａｌｉｚａｔｉｏｎ ｍｏｄｅｌ ｏｐｔｉｏｎ ２(ｆｕｌｌ ｃｏｎｎｅｃｔｉｏｎ ｍｏｄｅｌ)を示す図である。
【００３８】
図２ａ及び図２ｂは、ＴＸＲＵとアンテナ要素との接続方式の代表的な一例を示す。ここで、ＴＸＲＵ ｖｉｒｔｕａｌｉｚａｔｉｏｎモデルは、ＴＸＲＵの出力信号と、アンテナ要素の出力信号の関係を示す。図２ａはＴＸＲＵがサブアレイ(ｓｕｂ−ａｒｒａｙ)に接続された方式を示す。この場合、アンテナ要素は１つのＴＸＲＵにのみ接続される。一方、図２ｂはＴＸＲＵが全てのアンテナ要素に接続された方式を示す。この場合、アンテナ要素は全てのＴＸＲＵに接続される。図２ａ及び図２ｂにおいて、Ｗはアナログ位相シフターにより乗じられる位相ベクトルを示す。即ち、Ｗによってアナログビームフォーミングの方向が決定される。ここで、ＣＳＩ−ＲＳアンテナポートとＴＸＲＵとのマッピングは１−ｔｏ−１又は１−ｔｏ−ｍａｎｙである。
【００３９】
ハイブリッドビームフォーミング(Ｈｙｂｒｉｄ Ｂｅａｍｆｏｒｍｉｎｇ)
【００４０】
図３はハイブリッドビームフォーミングのためのブロック図を示す図である。
【００４１】
Ｎｅｗ ＲＡＴシステムでは、複数のアンテナが使用される場合、デジタルビームフォーミングとアナログビームフォーミングとを組み合わせたハイブリッドビームフォーミング方式を適用することができる。この時、アナログビームフォーミング(又は、ＲＦビームフォーミング)は、ＲＦ端においてプリコーディング(Ｐｒｅｃｏｄｉｎｇ)(又は、コンバイニング(Ｃｏｍｂｉｎｉｎｇ))を実行する動作を意味する。このようなハイブリッドビームフォーミング方式において、ベースバンド(Ｂａｓｅｂａｎｄ)端とＲＦ端は夫々プリコーディング(Ｐｒｅｃｏｄｉｎｇ)(又は、コンバイニング(Ｃｏｍｂｉｎｉｎｇ))を行うことにより、ＲＦ ｃｈａｉｎ数とＤ／Ａ(又は、Ａ／Ｄ)ｃｏｎｖｅｒｔｅｒ数を減らしながらも、デジタルビームフォーミングに近づく性能が得られるというメリットがある。説明の便宜のために、図３に示したように、上述したハイブリッドビームフォーミング構造は、Ｎ個のＴｒａｎｓｃｅｉｖｅｒ ｕｎｉｔ(ＴＸＲＵ)とＭ個の物理アンテナで表現される。この時、送信側から送信するＬ個のデータ階層に対するデジタルビームフォーミングはＮ ｂｙ Ｌ行列で表現でき、この後、変換されたＮ個のデジタル信号はＴＸＲＵを経てアナログ信号に変換された後、Ｍ ｂｙ Ｎ行列で表現されるアナログビームフォーミングが適用される。
【００４２】
この時、図３においてデジタルビーム数はＬ個であり、アナログビーム数はＮ個である。またＮｅｗ ＲＡＴシステムでは、基地局がアナログビームフォーミングをシンボル単位に変更できるように設計して、特定の地域に位置した端末にさらに効率的なビームフォーミングを支援する方法を考慮している。さらに図３のように、特定のＮ個のＴＸＲＵとＭ個のＲＦアンテナを１つのアンテナパネルと定義する時、Ｎｅｗ ＲＡＴシステムでは、互いに独立したハイブリッドビームフォーミングが適用可能な複数のアンテナパネルを導入する方案まで考慮している。
【００４３】
基地局が複数のアナログビームを活用する場合、各々の端末において信号受信に有利なアナログビームが異なることができるので、基地局は少なくとも同期信号(Ｓｙｎｃｈｒｏｎｉｚａｔｉｏｎ ｓｉｇｎａｌ)、システム情報(Ｓｙｓｔｅｍ ｉｎｆｏｒｍａｔｉｏｎ)、ページング(Ｐａｇｉｎｇ)などに対しては、特定のサブフレーム(ＳＦ)において基地局が適用する複数のアナログビームをシンボルごとに変更することにより全ての端末が受信機会を得るようにするビームスイーピング動作を考慮してもよい。
【００４４】
図４はハイブリッドビームフォーミングにおいて、ＢＲＳシンボルにマッピングされたビームの例を示す図である。
【００４５】
図４は下りリンク(ＤＬ)送信過程において、同期信号とシステム情報について上述したビームスイーピング動作を図式化している。図４において、Ｎｅｗ ＲＡＴシステムのシステム情報がブロードキャスティング方式で送信される物理的リソース(又は物理チャネル)を、ｘＰＢＣＨ(ｐｈｙｓｉｃａｌ ｂｒｏａｄｃａｓｔ ｃｈａｎｎｅｌ)と称する。この時、１シンボル内で互いに異なるアンテナパネルに属する複数のアナログビームは同時に送信可能であり、アナログビームごとのチャネルを測定するために、図４に示したように、(特定のアンテナパネルに対応する)単一のアナログビームが適用されて送信される参照信号(Ｒｅｆｅｒｅｎｃｅ ｓｉｇｎａｌ；ＲＳ)であるビーム参照信号(Ｂｅａｍ ＲＳ；ＢＲＳ)の導入が論議されている。ＢＲＳは複数のアンテナポートに対して定義され、ＢＲＳの各々のアンテナポートは単一のアナログビームに対応する。図４では、ビームを測定するためのＲＳ(Ｒｅｆｅｒｅｎｃｅ Ｓｉｇｎａｌ)をＢＲＳと称したが、他の名称で称してもよい。この時、ＢＲＳとは異なり、同期信号又はｘＰＢＣＨは、任意の端末がよく受信するようにアナログビームのグループ内の全てのアナログビームが適用されて送信される。
【００４６】
図５は異なるニューマロロジー(ｎｕｍｅｒｏｌｏｇｙ)間のシンボル／サブ−シンボル整列(ａｌｉｇｎｍｅｎｔ)を例示する図である。
【００４７】
Ｎｅｗ ＲＡＴ(ＮＲ)Ｎｕｍｅｒｏｌｏｇｙの特徴
【００４８】
ＮＲでは、Ｓｃａｌａｂｌｅ Ｎｕｍｅｒｏｌｏｇｙを支援する方式を考慮している。即ち、ＮＲの副搬送波間隔(ｓｕｂｃａｒｒｉｅｒ ｓｐａｃｉｎｇ)は(２ｎ×１５)ｋＨｚ、ｎは整数であり、ｎｅｓｔｅｄ観点でｓｕｂｓｅｔ又はｓｕｐｅｒｓｅｔ(少なくとも１５、３０、６０、１２０、２４０及び４８０ｋＨｚ)が主な副搬送波間隔として考えられる。これにより、同一のＣＰオーバーヘッド比率を有するように調節することにより、異なるニューマロロジー間のシンボル又はサブ−シンボル整列を支援するように設定される。
【００４９】
また、各々のサービス(ｅＭＭＢ、ＵＲＬＬＣ、ｍＭＴＣ)とシナリオ(ｈｉｇｈ ｓｐｅｅｄなど)によって時間／周波数細分性(ｇｒａｎｕｌａｒｉｔｙ)が動的に割り当てられる構造でニューマロロジーが決定される。
【００５０】
直交化のための帯域幅依存／非依存シーケンス(Ｂａｎｄｗｉｄｔｈ ｄｅｐｅｎｄｅｎｔ／ｎｏｎ-ｄｅｐｅｎｄｅｎｔ ｓｅｑｕｅｎｃｅ ｆｏｒ ｏｒｔｈｏｇｏｎａｌｉｚａｔｉｏｎ)
【００５１】
ＬＴＥシステムではサウンディング帯域幅(ｓｏｕｎｄｉｎｇ ｂａｎｄｗｉｄｔｈ)によってＳＲＳ設計が異なる。即ち、長さ２４以下のシーケンスを設計する場合、コンピューター生成のシーケンスを使用し、３６(３ＲＢ)以上である場合、Ｚａｄｏｆｆ−Ｃｈｕ(ＺＣ)シーケンスを使用する。ＺＣシーケンスの最大のメリットは、低いＰＡＰＲ又は低いＣｕｂｉｃ Ｍｅｔｒｉｃを示すと同時に理想的な自己相関(ａｕｔｏｃｏｒｒｅｌａｔｉｏｎ)と低い交差相関(ｃｒｏｓｓーｃｏｒｒｅｌａｔｉｏｎ)性質を有することである。しかし、かかる性質を満たすためには、必要なシーケンスの長さ(サウンディング帯域幅を示す)が同一である必要がある。従って、異なるサウンディング帯域幅を有する端末を支援するためには、異なるリソース領域に割り当てる方法が必要であり、チャネル推定性能の劣化を最小化できるように、ＩＦＤＭＡ ｃｏｍｂ構造が互いに異なるサウンディング帯域幅に形成して、同時送信する端末の直交性を支援した。仮に小さいサウンディング帯域幅を有する端末に、このようなＴＣ(Ｔｒａｎｓｍｉｓｓｉｏｎ ｃｏｍｂ)構造を使用すると、直交性を有する最小限のシーケンス長さ(一般的には、長さ２４で示す)よりも小さいシーケンス長さになることもあり、ＴＣが２に限定される。同じサウンディングリソースに同じＴＣを使用する場合、直交性を提供する次元(ｄｉｍｅｎｓｉｏｎ)が必要であり、これが循環シフト(Ｃｙｃｌｉｃ Ｓｈｉｆｔ)を用いたＣＤＭを使用することである。
【００５２】
一方、ＺＣ系列シーケンスに比べてＰＡＰＲと相関性能が少し落ちる場合があるが、サウンディング帯域幅に関係なく、リソースマッピングが可能なシーケンスがある。一例として、ＧｏｌａｙシーケンスとＰＮ(Ｐｓｅｕｄｏ ｒａｎｄｏｍ)シーケンスがある。Ｇｏｌａｙシーケンスの場合、あるシーケンスａ、ｂの各々の自己相関値をＡａ，Ａｂとする時、これらの自己相関値の和が以下の条件を満たすａ、ｂをＧｏｌａｙ相補配列シーケンス対と呼ぶ(Ａａ＋Ａｂ＝δ(ｘ))。
【００５３】
一例として、長さ２６のＧｏｌａｙシーケンスａ，ｂが以下のようである時、ａ＝[１ −１ １ １ −１ −１ １ −１ −１ −１ −１ １ −１ １ −１ −１ −１ −１ １ １ −１ −１ −１ １ −１ １]、ｂ＝[−１ １ −１ −１ １ １ −１ １ １ １ １ −１ −１ −１ −１ −１ −１ −１ １ １ −１ −１ −１ １ −１ １]、これらを連接して総長さ５２のシーケンスで構成して、両側の４つのＲＥ(Ｒｅｓｏｕｒｃｅ Ｅｌｅｍｅｎｔ)に０をマッピングする時、自己相関の性能は図７のように示すことができる。図６は２つの長さ２６のＧｏｌａｙ相補配列(ｃｏｍｐｌｅｍｅｎｔａｒｙ ｓｅｑｕｅｎｃｅ)対を用いた長さ５２の自己相関の性能を示す図である。
【００５４】
図７は長さ５２のＧｏｌａｙシーケンスにおいて互いに異なるＣＳを有するシーケンス間の交差相関を示す図である。
【００５５】
長さ５２で構成したシーケンスに多数のＣＳ(Ｃｙｃｌｉｃ Ｓｈｉｆｔ)を適用して、複数のＧｏｌａｙシーケンスを生成することができる。互いに異なるＣＳを有するＧｏｌａｙシーケンス間の交差相関は図８のようである。
【００５６】
図８はＺＣ、Ｇｏｌａｙ、ＰＮシーケンスの交差相関とキュービックメトリック(ｃｕｂｉｃーｍｅｔｒｉｃ)評価を示す図である。
【００５７】
ＺＣ、Ｇｏｌａｙ、ＰＮの間の関係を各々のＴＣが１、２、４である場合によるＣＭ(ｃｕｂｉｃ ｍｅｔｒｉｃ)と交差相関を計算して比較する。評価のための仮定は、以下の通りである。
【００５８】
−サウンディング帯域幅(ｓｏｕｎｄｉｎｇ ＢＷ)は夫々４,８,１２,１６,２０,２４,３２,３６,４８ＲＢと定める(ＬＴＥ ＳＲＳ設計ベース)。
【００５９】
−ＬＴＥシステムのように、３０グループ数
2020537437.tif 000003
は以下のように決定し、
2020537437.tif 000004
はセルＩＤに基づいて決定する。この時、４ＲＢでは一つのベースシーケンスｖを選択し、その他では２つのベースシーケンス数ｖを選択する。
【００６０】
−Ｇｏｌａｙシーケンスの場合、８０２.１６ｍシステムでの長さ２０４８のｔｒｕｎｃａｔｅｄ ｂｉｎａｒｙＧｏｌａｙシーケンスを用いて、ＱＰＳＫ ＰＮシーケンスをｉｎｄｅｐｅｎｄｅｎｔ帯域幅ＳＲＳ設計の例示とした。この時、ＺＣシーケンスにおいて３０グループを示すために、Ｇｏｌａｙシーケンスは３０ＣＳを用いて生成し、ＰＮはＭａｔｌａｂに基づいて３０個のシーケンスを生成して使用する。
【００６１】
−ＴＣ＝１、２及び４に評価した。
【００６２】
−キュービックメトリック(Ｃｕｂｉｃ Ｍｅｔｒｉｃ)の評価では、より良好な解決(ｒｅｓｏｌｕｔｉｏｎ)のために、ＯＳＦ(ｏｖｅｒ ｓａｍｐｌｉｎｇ ｆａｃｔｏｒ)を８と定める。
【００６３】
図８の(ａ)に示したように、交差相関性能はＺＣ＞Ｇｏｌａｙ＞ＰＮシーケンスの順であり、ＣＭ性能はＺＣ＞Ｇｏｌａｙ＞ＰＮの順である。ＵＬ送信のためのＳＲＳシーケンス生成の観点ではＬＴＥシステムのようにＺＣ系列が良い性能を有すると見られるが、サウンディング帯域幅の各端末の割り当ての自由度を高めるためには、Ｇｏｌａｙシーケンス又はＰＮシーケンスもＮｅｗ ＲＡＴのＳＲＳシーケンス候補から排除してはいけない。
【００６４】
ＬＴＥシステムにおけるＳＲＳホッピング特徴は、以下の通りである。
【００６５】
−周期的ＳＲＳトリガリング(ｔｒｉｇｇｅｒｉｎｇ ｔｙｐｅ ０)の時に限ってＳＲＳホッピング動作を行う。
【００６６】
−ＳＲＳリソースの割り当ては、ｐｒｅｄｅｆｉｎｅｄ ｈｏｐｐｉｎｇ ｐａｔｔｅｒｎで提供される。
【００６７】
−ホッピングパターン(Ｈｏｐｐｉｎｇ ｐａｔｔｅｒｎ)は、端末−特定(ＵＥ ｓｐｅｃｉｆｉｃ)にＲＲＣシグナリングにより設定できる(但し、オーバーラッピング(ｏｖｅｒｌａｐｐｉｎｇ)は許容されない)。
【００６８】
−セル／端末−特定にＳＲＳが送信されるサブフレームごとにホッピングパターンを用いてＳＲＳが周波数ホッピングされて送信される。
【００６９】
−ＳＲＳ周波数ドメインの開始位置及びホッピング公式は、以下の数１より解釈される。
【００７０】
【数１】
2020537437.tif 000005
【００７１】
ここで、ｎＳＲＳは時間ドメインにおいてホッピング進行間隔を示し、Ｎｂはｔｒｅｅ ｌｅｖｅｌ ｂに割り当てられたｂｒａｎｃｈｅｓ数、ｂはｄｅｄｉｃａｔｅｄ ＲＲＣにおいてＢＳＲＳ設定により決定される。
【００７２】
図９はＬＴＥホッピングパターンを例示する図である(ｎｓ＝１―＞ｎｓ＝４)。
【００７３】
ＬＴＥホッピングパターン設定の例示を説明する。
【００７４】
セル−特定のＲＲＣシグナリングによりＬＴＥホッピングパターンパラメータを設定することができるが、一例として
2020537437.tif 000006
のように設定される。
【００７５】
次に、端末−特定のＲＲＣシグナリングによりＬＴＥホッピングパターンパラメータを設定することができるが、一例として
2020537437.tif 000007
のように設定される。
【００７６】
以下の表１はＮＲにおけるＳＲＳ送信リソースに関するａｇｒｅｅｍｅｎｔ事項を示す表である。
【００７７】
【表１】
2020537437.tif 000008
【００７８】
３ＧＰＰ ＲＡＮ１ ８８ ｂｉｚで設定される多重ＳＲＳシンボルにおいては、ＳＲＳ周波数ホッピングを支援し、ＳＲＳが設定されたスロット間における周波数ホッピングを支援する必要があることが承認されている。一つの多重シンボルＳＲＳがトリガされる時は、あるＳＲＳリソースがホッピングしながら、全帯域の上りリンクリソースを割り当てるためのＳＲＳ設定が必要である。また上りリンクビーム管理(ＵＬ Ｂｅａｍ ｍａｎａｇｅｍｅｎｔ)においても必要であるが、一例として、ＮＲ端末が上りリンクビーム管理のために多重ＳＲＳがトリガされた時、端末の同じＴｘ ｐｒｅｃｏｄｉｎｇを用いて、ｓｕｂｂａｎｄ ｗｉｓｅ上りリンクビーム管理を行う必要があり得る。
【００７９】
図１０は上りリンクビーム管理用の多重シンボル(ｍｕｌｔｉｐｌｅ ｓｙｍｂｏｌ)ＳＲＳトリガリングを例示する図である。
【００８０】
図１０を参照すると、一つのシンボルに上りリンクＳＲＳ帯域幅が設定されてもよいが、上りリンクビーム管理などのために、多重シンボルのＳＲＳがトリガ及び設定されてもよい。多重シンボルのＳＲＳがトリガされて、各々のシンボルでホッピングされるＳＲＳリソース(或いはＳＲＳ送信リソース)に同じＴｘ ｐｒｅｃｏｄｉｎｇが行われる時、端末は各ＳＲＳシンボルごとにより多い送信パワー(Ｔｘ ｐｏｗｅｒ)を提供することができる。基地局は各シンボルごとにＳＲＳリソースを検出した後、シンボル指示によって副帯域(ｓｕｂｂａｎｄ)を選択することができる。
【００８１】
提案１
【００８２】
基地局は、周波数ホッピングが行われるＳＲＳリソースのためのＳＲＳシーケンス生成パラメータの組み合わせ(例えば、ＴＣ(Ｔｒａｎｓｍｉｓｓｉｏｎ Ｃｏｍｂ)、ＴＣオフセット、ＣＳ(Ｃｙｃｌｉｃ Ｓｈｉｆｔ)、ルート)のうちの全部又は一部を(周波数)ホッピングパターンに連動して変化するように設定して、端末に設定された情報を送信したり、変更したいＳＲＳシーケンス生成パラメータ値の変更された値を端末に送信したりすることができる。
【００８３】
提案１−１
【００８４】
提案１の具体的な提案として、提案１−１は、割り当てられたＳＲＳリソースに設定されたＳＲＳシーケンス生成パラメータ(例えば、ＴＣ、ＴＣオフセット、ＣＳ、ルートなど)は、周波数ホッピングが有効(ｅｎａｂｌｅ)になると、周波数ホッピングパターンによって異なるように適用可能であることを提案する。さらに動的なＵＬ(Ｕｐｌｉｎｋ)ＤＣＩ(Ｄｏｗｎｌｉｎｋ Ｃｏｎｔｒｏｌ Ｉｎｆｏｒｍａｔｉｏｎ)のオーバーヘッドが増加することなく、周波数ホッピングによってＳＲＳシーケンス生成パラメータを変更することで、基地局は特定の周波数ホッピングパターンが端末によく行われているか否かをＳＲＳの検出後に判断することができる。
【００８５】
図１１はホッピングパターン
2020537437.tif 000009
によるＳＲＳシーケンス生成パラメータの組み合わせ
2020537437.tif 000010
を例示する図である。
【００８６】
図１１を参照すると、ＵＥ Ａのホッピングパターン
2020537437.tif 000011
で設定される時(ここで、l' は設定されたＳＲＳシンボルインデックス、
2020537437.tif 000012
は設定されたＳＲＳスロットインデックス)、特定の
2020537437.tif 000013
(ｎｆはフレームインデックス)に該当するＳＲＳシーケンス生成パラメータの組み合わせは
2020537437.tif 000014
のように示すことができる。
【００８７】
提案１−２
【００８８】
基地局は、周波数ホッピング(例えば、ｉｎｔｒａ−ｓｌｏｔホッピング(或いはシンボルレベルのホッピングとも呼ぶ)、ｉｎｔｒａ−ｓｌｏｔホッピング(或いはスロットレベルのホッピングとも呼ぶ)が有効(ｅｎａｂｌｅ)になったＳＲＳリソースに設定されたＳＲＳシーケンス生成パラメータ(例えば、ＴＣ、ＴＣオフセット、ＣＳ、ルートなど)のうち、ＳＲＳシーケンス生成パラメータのサブセットはＬａｙｅｒ３のＲＲＣ(Ｒａｄｉｏ Ｒｅｓｏｕｒｃｅ Ｃｏｎｔｒｏｌ)シグナリングにより送信し、割り当てられたＳＲＳリソースに設定されたその他のＳＲＳシーケンス生成パラメータのサブセットはＬａｙｅｒ１のＤＣＩ(或いはＤＣＩフォーマット)により送信する。ＳＲＳシーケンス生成パラメータのサブセットの構成は以下の通りである。
【００８９】
−基地局はＴＣ、ＴＣオフセット、ＣＳ値は専用(ｄｅｄｉｃａｔｅｄ)のＲＲＣシグナリングにより端末に送信し、ルート値はＤＣＩにより端末に送信する。一つのＳＲＳ送信スロットに多重シンボルのＳＲＳ(或いは多重シンボルＳＲＳリソースなどとも呼ぶ)が設定される時、端末がルート値を各シンボルごとに異なるように適用するために、基地局は多重シンボルのＳＲＳ数だけのルート値をＤＣＩにより端末に送信するか、又は基地局は多重シンボルのＳＲＳシーケンスのルート値を同一に設定して、端末に一つのルート値を送信することができる。
【００９０】
−基地局はＴＣとＴＣオフセットは専用のＲＲＣシグナリングにより送信、ＣＳとルート値はＤＣＩにより送信することができる。
【００９１】
−基地局はＴＣ値のみを専用のＲＲＣシグナリングにより送信し、その他のサブセット(例えば、ＴＣオフセット、ＣＳ、ルート)はＤＣＩにより送信することができる。
【００９２】
−基地局はＣＳ値のみを専用のＲＲＣシグナリングにより送信し、その他のサブセット(例えば、ＴＣ、ＴＣオフセット、ルート)はＤＣＩにより送信することができる。
【００９３】
−基地局はルート値のみを専用のＲＲＣシグナリングにより送信、その他のサブセット(例えば、ＴＣ、ＴＣオフセット、ＣＳ)はＤＣＩにより送信することができる。
【００９４】
−その他にも基地局はＴＣ、ＴＣオフセット、ＣＳ、ルート値などの様々な組み合わせをＤＣＩ又はＲＲＣシグナリングにより送信することができる。
【００９５】
端末はホッピングによるＳＲＳシーケンス生成パラメータの様々な組み合わせでシーケンスを生成して、ＰＡＰＲや低相関特性を向上させることができる。但し、ＤＣＩ送信によってオーバーヘッドが増加する可能性がある。
【００９６】
図１２はホッピングにおける端末間衝突の発生を例示する図である。
【００９７】
一実施例として、１)ＳＲＳ送信スロット１で割り当てられるリソース内のシーケンスパラメータインデックスが、ＴＣ＝１、ＴＣオフセット＝０、ＣＳ＝５、ルート＝１０である時、次のＳＲＳ送信スロット２で割り当てられるリソース内のシーケンスパラメータインデックスを、ＴＣ＝１、ＴＣオフセット＝０、ＣＳ＝８、ルート＝１１に変更する。ＳＲＳ送信スロット２において、ＣＳ＝８及びルート＝１１はＤＣＩにより送信されるか、又はホッピングパターンによって類推される。
【００９８】
他の実施例として、ｔｒｕｎｃａｔｅｄ ＺＣ ＳＲＳシーケンスの使用時、ＳＲＳ送信スロット１において端末１(ＵＥ１)と端末２(ＵＥ２)には異なるリソースが割り当てられる。ところが、次のＳＲＳ送信スロット２においてＵＥ１とＵＥ２が特定のＳＲＳシンボルインデックスで重複し、ＵＥ１のＣＳ＝３、ＵＥ２のＣＳ＝３が適用されて、基地局はＵＥ２のＣＳ＝５に変更して低相関特性を維持することができる。
【００９９】
提案１−３
【０１００】
周波数ホッピング(例えば、ｉｎｔｒａ−ｓｌｏｔホッピング、Ｉｎｔｅｒ−ｓｌｏｔホッピングなど)が有効(ｅｎａｂｌｅ)になったＳＲＳリソースに設定するシーケンス生成パラメータ(例えば、ＴＣ、ＴＣオフセット、ＣＳ、ルート)の組み合わせは、ＤＣＩシグナリングのオーバーヘッドを減らすために、基地局は端末に特定セットをＲＲＣシグナリングにより提供して、要請フィールドを含むＤＣＩを端末に送信し、端末はホッピングされるＳＲＳリソースに該当するシーケンス組み合わせに関する情報を得ることができる。一実施例として、以下の表２は、基地局がＤＣＩにより送信するシーケンス生成パラメータのセットを例示している。３ＧＰＰ ＲＡＮ１ ８８ｂｉｚで設定される多重ＳＲＳシンボルにおいては、ＳＲＳ周波数ホッピングを支援し、ＳＲＳが設定されたスロット間における周波数ホッピングを支援する必要があることが承認されている。一つの多重シンボルＳＲＳがトリガされる時は、あるＳＲＳリソースがホッピングしながら、全帯域の上りリンクリソースを割り当てるためのＳＲＳ設定が必要である。また上りリンクビーム管理においても必要であるが、一例として、ＮＲ端末が上りリンクビーム管理のために多重ＳＲＳがトリガされた時、端末の同じＴｘ ｐｒｅｃｏｄｉｎｇを用いて、ｓｕｂｂａｎｄ ｗｉｓｅ上りリンクビーム管理を行う必要があり得る。
【０１０１】
図１０は上りリンクビーム管理用の多重シンボルＳＲＳトリガリングを例示する図である。
【０１０２】
図１０を参照すると、一つのシンボルに上りリンクＳＲＳ帯域幅が設定されてもよいが、上りリンクビーム管理などのために、多重シンボルのＳＲＳがトリガ及び設定されてもよい。多重シンボルのＳＲＳがトリガされて、各々のシンボルでホッピングされるＳＲＳリソース(或いはＳＲＳ送信リソース)に同じＴｘ ｐｒｅｃｏｄｉｎｇが行われる時、端末は各ＳＲＳシンボルごとにより多い送信パワー(Ｔｘ ｐｏｗｅｒ)を提供することができる。基地局は各シンボルごとにＳＲＳリソースを検出した後、シンボル指示によって副帯域(ｓｕｂｂａｎｄ)を選択することができる。
【０１０３】
提案１
【０１０４】
基地局は、周波数ホッピングが行われるＳＲＳリソースのためのＳＲＳシーケンス生成パラメータの組み合わせ(例えば、ＴＣ、ＴＣオフセット、ＣＳ、ルート)のうちの全部又は一部を(周波数)ホッピングパターンに連動して変化するように設定して、端末に設定された情報を送信したり、変更したいＳＲＳシーケンス生成パラメータ値の変更された値を端末に送信したりすることができる。
【０１０５】
提案１−１
【０１０６】
提案１の具体的な提案として、提案１−１は、割り当てられたＳＲＳリソースに設定されたＳＲＳシーケンス生成パラメータ(例えば、ＴＣ、ＴＣオフセット、ＣＳ、ルートなど)は、周波数ホッピングが有効(ｅｎａｂｌｅ)になると、周波数ホッピングパターンによって異なるように適用可能であることを提案する。さらに動的なＵＬ(Ｕｐｌｉｎｋ)ＤＣＩのオーバーヘッドが増加することなく、周波数ホッピングによってＳＲＳシーケンス生成パラメータを変更することで、基地局は特定の周波数ホッピングパターンが端末によく行われているか否かをＳＲＳの検出後に判断することができる。
【０１０７】
図１１はホッピングパターン
2020537437.tif 000015
によるＳＲＳシーケンス生成パラメータの組み合わせ
2020537437.tif 000016
を例示する図である。
【０１０８】
図１１を参照すると、ＵＥ Ａのホッピングパターン
2020537437.tif 000017
で設定される時(ここで、l' は設定されたＳＲＳシンボルインデックス、
2020537437.tif 000018
は設定されたＳＲＳスロットインデックス)、特定の
2020537437.tif 000019
(ｎｆはフレームインデックス)に該当するＳＲＳシーケンス生成パラメータの組み合わせは
2020537437.tif 000020
のように示すことができる。
【０１０９】
提案１−２
【０１１０】
基地局は、周波数ホッピング(例えば、ｉｎｔｒａ−ｓｌｏｔホッピング(或いはシンボルレベルのホッピングとも呼ぶ)、ｉｎｔｒａ−ｓｌｏｔホッピング(或いはスロットレベルのホッピングとも呼ぶ)が有効(ｅｎａｂｌｅ)になったＳＲＳリソースに設定されたＳＲＳシーケンス生成パラメータ(例えば、ＴＣ、ＴＣオフセット、ＣＳ、ルートなど)のうち、ＳＲＳシーケンス生成パラメータのサブセットはＬａｙｅｒ３のＲＲＣシグナリングにより送信し、割り当てられたＳＲＳリソースに設定されたその他のＳＲＳシーケンス生成パラメータのサブセットはＬａｙｅｒ１のＤＣＩ(或いはＤＣＩフォーマット)により送信する。ＳＲＳシーケンス生成パラメータのサブセットの構成は以下の通りである。
【０１１１】
−基地局はＴＣ、ＴＣオフセット、ＣＳ値は専用(ｄｅｄｉｃａｔｅｄ)のＲＲＣシグナリングにより端末に送信し、ルート値はＤＣＩにより端末に送信する。一つのＳＲＳ送信スロットに多重シンボルのＳＲＳ(或いは多重シンボルＳＲＳリソースなどとも呼ぶ)が設定される時、端末がルート値を各シンボルごとに異なるように適用するために、基地局は多重シンボルのＳＲＳ数だけのルート値をＤＣＩにより端末に送信するか、又は基地局は多重シンボルのＳＲＳシーケンスのルート値を同一に設定して、端末に一つのルート値を送信することができる。
【０１１２】
−基地局はＴＣとＴＣオフセットは専用のＲＲＣシグナリングにより送信、ＣＳとルート値はＤＣＩにより送信することができる。
【０１１３】
−基地局はＴＣ値のみを専用のＲＲＣシグナリングにより送信し、その他のサブセット(例えば、ＴＣオフセット、ＣＳ、ルート)はＤＣＩにより送信することができる。
【０１１４】
−基地局はＣＳ値のみを専用のＲＲＣシグナリングにより送信し、その他のサブセット(例えば、ＴＣ、ＴＣオフセット、ルート)はＤＣＩにより送信することができる。
【０１１５】
−基地局はルート値のみを専用のＲＲＣシグナリングにより送信、その他のサブセット(例えば、ＴＣ、ＴＣオフセット、ＣＳ)はＤＣＩにより送信することができる。
【０１１６】
−その他にも基地局はＴＣ、ＴＣオフセット、ＣＳ、ルート値などの様々な組み合わせをＤＣＩ又はＲＲＣシグナリングにより送信することができる。
【０１１７】
端末はホッピングによるＳＲＳシーケンス生成パラメータの様々な組み合わせでシーケンスを生成して、ＰＡＰＲや低相関特性を向上させることができる。但し、ＤＣＩ送信によってオーバーヘッドが増加する可能性がある。
【０１１８】
図１２はホッピングにおける端末間衝突の発生を例示する図である。
【０１１９】
一実施例として、１)ＳＲＳ送信スロット１で割り当てられるリソース内のシーケンスパラメータインデックスが、ＴＣ＝１、ＴＣオフセット＝０、ＣＳ＝５、ルート＝１０である時、次のＳＲＳ送信スロット２で割り当てられるリソース内のシーケンスパラメータインデックスを、ＴＣ＝１、ＴＣオフセット＝０、ＣＳ＝８、ルート＝１１に変更する。ＳＲＳ送信スロット２において、ＣＳ＝８及びルート＝１１はＤＣＩにより送信されるか、又はホッピングパターンによって類推される。
【０１２０】
他の実施例として、ｔｒｕｎｃａｔｅｄ ＺＣ ＳＲＳシーケンスの使用時、ＳＲＳ送信スロット１において端末１(ＵＥ１)と端末２(ＵＥ２)には異なるリソースが割り当てられる。ところが、次のＳＲＳ送信スロット２においてＵＥ１とＵＥ２が特定のＳＲＳシンボルインデックスで重複し、ＵＥ１のＣＳ＝３、ＵＥ２のＣＳ＝３が適用されて、基地局はＵＥ２のＣＳ＝５に変更して低相関特性を維持することができる。
【０１２１】
提案１−３
【０１２２】
周波数ホッピング(例えば、ｉｎｔｒａ−ｓｌｏｔホッピング、Ｉｎｔｅｒ−ｓｌｏｔホッピングなど)が有効(ｅｎａｂｌｅ)になったＳＲＳリソースに設定するシーケンス生成パラメータ(例えば、ＴＣ、ＴＣオフセット、ＣＳ、ルート)の組み合わせは、ＤＣＩシグナリングのオーバーヘッドを減らすために、基地局は端末に特定セットをＲＲＣシグナリングにより提供して、要請フィールドを含むＤＣＩを端末に送信し、端末はホッピングされるＳＲＳリソースに該当するシーケンス組み合わせに関する情報を得ることができる。一実施例として、以下の表２は、基地局がＤＣＩにより送信するシーケンス生成パラメータのセットを例示する。
【０１２３】
【表２】
2020537437.tif 000021
【０１２４】
端末はＳＲＳが割り当てられるリソース(例えば、スロット)においてシーケンス生成パラメータのための要請フィールドが'０１'を指示することをＤＣＩにより受信すると、該当リソース(例えば、該当スロット)においてＳＲＳ送信のためのシーケンスの生成時、ＴＣ＝２、ＴＣオフセット＝１、ＣＳ＝８、ルート＝１１としてシーケンスを生成する。ＳＲＳスロット内に多重ＳＲＳのシンボル数が２と割り当てられる時は、端末は基地局から要請フィールドを'００'、'１０'と連続して受けることができる。この場合、端末は１番目のＳＲＳシンボル内のＳＲＳシーケンスはＴＣ＝２、ＴＣオフセット＝０、ＣＳ＝４、ルート＝１０を用いて生成し、２番目のＳＲＳシンボル内のシーケンスはＴＣ＝４、ＴＣオフセット＝０、ＣＳ＝１１、ルート＝２を用いて生成することができる。また要請フィールドが単一に'１０'を指示する場合には、端末は２つのシンボルの両方においてＴＣ＝４、ＴＣオフセット＝０、ＣＳ＝１１、ルート＝２を用いて同じＳＲＳシーケンスを生成することができる。
【０１２５】
提案１−４
【０１２６】
基地局は、周波数ホッピング(例えば、ｉｎｔｒａ−ｓｌｏｔホッピング、Ｉｎｔｅｒ−ｓｌｏｔホッピング)が有効になったＳＲＳリソースに設定するシーケンス生成パラメータ(例えば、ＴＣ、ＴＣオフセット、ＣＳ、ルート値)が、周波数ホッピング時に変更されないように設定することができる。一般的なシーケンス生成パラメータの設定によりホッピングを行う時、特定のＳＲＳ ｉｎｓｔａｎｃｅにおいて重複する周波数領域をできる限り避けたり、又は重複する周波数領域で低く相関するようにホッピングパターンを生成した方が好ましい。
【０１２７】
提案２
【０１２８】
周波数ホッピング設定方法には、スロットレベルの周波数ホッピング設定(Ｉｎｔｅｒ−ｓｌｏｔホッピング設定)と、シンボルレベルの周波数ホッピング設定(ｉｎｔｒａ−ｓｌｏｔホッピング設定)とがある。
【０１２９】
−Ｉｎｔｅｒ−ｓｌｏｔホッピング設定のためのパラメータ
【０１３０】
Ｉｎｔｅｒーｓｌｏｔホッピング設定のためのパラメータがＳＲＳリソース位置情報を含む場合：ｉｎｔｅｒーｓｌｏｔホッピング設定のためのパラメータは、各スロットにおいてＳＲＳリソース割り当てバンド及び位置を示す値(例えば、特定の端末に対するＳＲＳ割り当て開始ＲＥ(Ｒｅｓｏｕｒｃｅ Ｅｌｅｍｅｎｔ)値、ＳＲＳ割り当て開始ＲＢ(Ｒｅｓｏｕｒｃｅ Ｂｌｏｃｋ)値、ＳＲＳ割り当て終了ＲＥ値、ＳＲＳ割り当て終了ＲＢ値、スロット当たりＳＲＳが送信される範囲及び周波数位置を示す値(例えば、ＲＩＶ(ｒｅｓｏｕｒｃｅ ｉｎｄｉｃａｔｉｏｎ ｖａｌｕｅ))、一つのスロット内に適用する副帯域インデックス、一つのスロット内に適用する部分帯域インデックスなど)、ｉｎｔｅｒーｓｌｏｔホッピング周期、ｉｎｔｅｒーｓｌｏｔホッピングイネーブルフラグなどを含む。
【０１３１】
ホッピングパターンを用いる場合：Ｉｎｔｅｒ−ｓｌｏｔホッピング設定のためのパラメータは、Ｉｎｔｅｒ−ｓｌｏｔホッピング周期、Ｉｎｔｅｒ−ｓｌｏｔホッピング有効フラグ、Ｉｎｔｅｒ−ｓｌｏｔホッピングパターンに関する情報を含む。
【０１３２】
−ｉｎｔｒａ−ｓｌｏｔホッピング設定のためのパラメータ
【０１３３】
Ｉｎｔｒａーｓｌｏｔホッピング設定のためのパラメータがＳＲＳリソース位置情報を含む場合：ｉｎｔｒａーｓｌｏｔホッピング設定のためのパラメータは、各シンボルにおいてＳＲＳリソース割り当て位置を示す値(例えば、ＲＩＶ(ｒｅｓｏｕｒｃｅ ｉｎｄｉｃａｔｉｏｎ ｖａｌｕｅ)、ＲＥ／ＲＢインデックス、副帯域インデックス、部分帯域インデックス)、ＳＲＳ送信スロット内の設定されたＳＲＳシンボル数及びインデックス、ｉｎｔｒａーｓｌｏｔホッピング周期、ｉｎｔｒａ−ｓｌｏｔホッピングイネーブルフラグなどを含む。
【０１３４】
ホッピングパターンを用いる場合：ｉｎｔｒａ−ｓｌｏｔホッピング設定のためのパラメータは、ＳＲＳ送信スロット内の設定されたＳＲＳシンボル数及びインデックス、ｉｎｔｒａ−ｓｌｏｔホッピング周期、ｉｎｔｒａ−ｓｌｏｔホッピングパターン、ｉｎｔｒａ−ｓｌｏｔホッピング有効フラグなどを含む。このようなパラメータは、以下のような設定によって基地局が端末に送信することができる。
【０１３５】
ホッピング設定はｉｎｔｒａ−ｓｌｏｔ／ｉｎｔｅｒ−ｓｌｏｔホッピングの２つの組み合わせで示すことができ、ホッピング周期(ｈｏｐｐｉｎｇ ｃｙｃｌｅ)は以下のように定義することができる。ｉｎｔｒａ−ｓｌｏｔホッピング周期は、与えられたＳＲＳスロットにおいてＳＲＳのシンボル数によって割り当てられたＳＲＳリソースが各シンボルごとにホッピングされ、再度元のＳＲＳ周波数位置に戻るまでのＳＲＳシンボル数であると定義できる。ｉｎｔｅｒ−ｓｌｏｔホッピング周期は、ＳＲＳリソース位置がＳＲＳスロットごとにホッピングして、再度元のＳＲＳ周波数位置に戻るまでのＳＲＳスロット数であると定義できる。
【０１３６】
提案２−１
【０１３７】
周期的／半持続的ＳＲＳの場合、基地局は、ｉｎｔｒａ−ｓｌｏｔホッピング設定のためのパラメータを専用のＲＲＣシグナリングにより端末に送信し、ｉｎｔｅｒ−ｓｌｏｔホッピング設定のためのパラメータは、ＳＲＳ送信スロットのためのＤＣＩにより送信する。ＤＣＩシグナリングのオーバーヘッドはＳＲＳ送信スロットごとに増加するが、ｉｎｔｅｒ−ｓｌｏｔホッピングに関する情報を動的に取得して、ｉｎｔｅｒ−ｓｌｏｔホッピングをフレキシブルに設定することができる。一実施例として、周期的／半持続的ＳＲＳトリガリングの時、ｉｎｔｒａ−ｓｌｏｔホッピングのためのパラメータのＲＲＣシグナリングによる送信及びｉｎｔｅｒ−ｓｌｏｔホッピング設定のためのパラメータはＤＣＩによる送信を例示する。
【０１３８】
図１３はｉｎｔｒａ−ｓｌｏｔホッピングパラメータをＲＲＣシグナリングにより送信し、Ｉｎｔｅｒ−ｓｌｏｔホッピングパラメータをＤＣＩシグナリングにより送信する例示を示す。
【０１３９】
図１３を参照すると、ｉｎｔｒａ−ｓｌｏｔホッピング設定のための(専用の)ＲＲＣシグナリングの例示として、以下のような情報が(専用の)ＲＲＣシグナリングにより送信される(ＳＲＳ設定された(割り当て)開始ＲＢインデックス＝１、ＳＲＳ設定された(割り当て)終了ＲＢインデックス＝１７、ＳＲＳ ＢＷ＝１６ＲＢｓ、ＳＲＳ送信スロット内の設定されたＳＲＳのシンボル数＝４個、設定されたＳＲＳの開始シンボル位置インデックス＝８、設定されたＳＲＳ終了シンボル位置インデックス＝１１、部分帯域インデックス＝１、シンボルホッピング周期＝４シンボル)。
【０１４０】
図１３を参照すると、Ｉｎｔｅｒ−ｓｌｏｔホッピング設定のためのＤＣＩシグナリングの例示として、以下のような情報がＤＣＩシグナリングにより送信される。
【０１４１】
−１番目のＳＲＳスロットのためのＤＣＩは、ＳＲＳ開始ＲＢインデックス＝１、ＳＲＳ終了ＲＢインデックス＝６５、部分帯域インデックス＝１、ｉｎｔｅｒ−ｓｌｏｔホッピング周期：２ＳＲＳスロットなどを指示する。
【０１４２】
−２番目のＳＲＳスロットのためのＤＣＩは、ＳＲＳ割り当て開始ＲＢインデックス＝６５、ＳＲＳ割り当て終了ＲＢインデックス＝１２９、部分帯域インデックス＝１、ｉｎｔｅｒ−ｓｌｏｔホッピング周期：２ＳＲＳスロットなどを指示する。
【０１４３】
Ｉｎｔｅｒ−ｓｌｏｔ／ｉｎｔｒａ−ｓｌｏｔホッピングパターンは、以下の例示により理解することができる。ＮＲにおいて、１フレーム
2020537437.tif 000022
内のスロット数が
2020537437.tif 000023
であり、この時の各スロットのインデックスは
2020537437.tif 000024
で示し、l'は設定されたＳＲＳのシンボルインデックス、
2020537437.tif 000025
はＳＲＳ送信周期であると、ホッピングのためのnＳＲＳは以下の数２のように設定することができる。
【０１４４】
【数２】
2020537437.tif 000026
【０１４５】
但し、
2020537437.tif 000027
は副帯域インデックス
2020537437.tif 000028
によるｉｎｔｒａ−ｓｌｏｔホッピングポジション関数である。BＳＲＳは一つのＳＲＳ副帯域に及ぶ(ｓｐａｎ)。
2020537437.tif 000029
は副帯域の帯域幅を示すＲＥ数である。
2020537437.tif 000030
であり、ｌｓｂは全体副帯域の数である。c()はスクランブリング関数である。
【０１４６】
図１３の例示は、局部的(ｌｏｃａｌｉｚｅｄ)周波数領域でホッピングを行った後、次のＳＲＳ送信スロットにおいて他の局部的周波数領域でのホッピング設定を可能にする例示であり、狭帯域ＲＦを有する端末の場合は、ホッピング時に局部的周波数領域でホッピングし、リチューニング遅延(ｒｅ−ｔｕｎｉｎｇ ｄｅｌａｙ)を考慮して、次のスロットにおいて他の局部的周波数領域でホッピングするのが有利である。
【０１４７】
他の実施例として、周期的ＳＲＳトリガリングの時、基地局はｉｎｔｒａ−ｓｌｏｔホッピングのためのパラメータをＲＲＣシグナリングにより送信、及びＩｎｔｅｒ−ｓｌｏｔホッピング設定のためのパラメータのＤＣＩシグナリングにより送信することができる。
【０１４８】
図１４は基地局がｉｎｔｒａ−ｓｌｏｔホッピングパラメータをＤＣＩシグナリングにより送信し、Ｉｎｔｅｒ−ｓｌｏｔホッピングパラメータはＲＲＣシグナリングにより送信する場合を例示する図である。
【０１４９】
−Ｉｎｔｅｒ−ｓｌｏｔホッピング設定のためのＤＣＩ送信の例示
【０１５０】
基地局は、１番目のＳＲＳスロットのためのＤＣＩにより、ＳＲＳ副帯域インデックス(１〜６４ＲＢ)＝１、部分帯域インデックス＝１、ｉｎｔｅｒ−ｓｌｏｔホッピング周期＝２ＳＲＳスロットなどを指示する。基地局は、２番目のＳＲＳスロットのためのＤＣＩにより、ＳＲＳ副帯域インデックス(１〜６４ＲＢ)＝２、部分帯域インデックス＝１、ｉｎｔｅｒ−ｓｌｏｔホッピング周期＝２ＳＲＳスロットなどを指示する。
【０１５１】
提案２−１−２
【０１５２】
周期的ＳＲＳ及び／又は半持続的ＳＲＳの場合、基地局はＩｎｔｅｒ−ｓｌｏｔホッピング設定のためのパラメータは(専用の)ＲＲＣシグナリングにより送信し、ｉｎｔｒａ−ｓｌｏｔホッピング設定のためのパラメータはＳＲＳ送信スロットのためにＤＣＩにより端末に送信する。
【０１５３】
固定されたＩｎｔｅｒ−ｓｌｏｔホッピングパターン内でフレキシブルにｉｎｔｒａ−ｓｌｏｔホッピングを適用する時に考慮することができる。但し、ｉｎｔｒａ−ｓｌｏｔホッピングのためのパラメータ送信オーバーヘッドが増加する。
【０１５４】
図１５は提案２−１−２に従って、基地局がｉｎｔｒａ−ｓｌｏｔホッピングパラメータをＲＲＣシグナリングにより送信し、Ｉｎｔｅｒ−ｓｌｏｔホッピングパラメータはＤＣＩにより送信する場合を例示する図である。
【０１５５】
一実施例として、周期的／半持続的ＳＲＳ送信の時、基地局はＩｎｔｅｒ−ｓｌｏｔホッピング設定のためのパラメータをＲＲＣシグナリングにより送信し、ｉｎｔｒａ−ｓｌｏｔホッピング設定のためのパラメータはＤＣＩにより送信する(シンボル当たりのＳＲＳリソース位置を指定する場合)。以下、図１５を参照して説明する。
【０１５６】
−Ｉｎｔｅｒ−ｓｌｏｔホッピング設定のための(専用の)ＲＲＣシグナリング送信の例示：Ｉｎｔｅｒ−ｓｌｏｔホッピング設定のための(専用の)ＲＲＣシグナリングは、ＳＲＳ割り当て開始ＲＢインデックス＝１、ＳＲＳ割り当て終了ＲＢインデックス＝１２９ＲＢ、部分帯域インデックス＝１、Ｉｎｔｅｒ−ｓｌｏｔホッピング周期＝２ＳＲＳスロットなどを指示する。
【０１５７】
−ｉｎｔｒａ−ｓｌｏｔホッピング設定のためのＤＣＩ送信の例示
【０１５８】
１番目のＳＲＳスロットのためのＤＣＩは、ＳＲＳ ＢＷ＝１６ＲＢｓ、ＳＲＳ送信スロット内の設定されたＳＲＳのシンボル数＝４個、設定されたＳＲＳの開始シンボル位置＝８、設定されたＳＲＳの割り当て終了シンボル位置＝１１、部分帯域インデックス＝１、シンボルホッピング周期＝４シンボルなどを指示する。図１５に示したように、１番目のＳＲＳスロットのためのＤＣＩは、１ｓｔシンボルＳＲＳ開始ＲＢインデックス＝１、１ｓｔシンボルＳＲＳ終了ＲＢインデックス＝１７、２ｎｄシンボルＳＲＳ開始ＲＢインデックス＝１７、２ｎｄシンボルＳＲＳ終了ＲＢインデックス＝３３、３ｒｄシンボルＳＲＳ開始ＲＢインデックス＝３３、３ｒｄシンボルＳＲＳ終了ＲＢインデックス＝４９、４ｔｈシンボルＳＲＳ開始ＲＢインデックス＝４９、４ｔｈシンボルＳＲＳ終了ＲＢインデックス＝６５を指示する。
【０１５９】
２番目のＳＲＳスロットのためのＤＣＩは、ＳＲＳ ＢＷ＝３２ＲＢｓ、ＳＲＳ送信スロット内の設定されたＳＲＳのシンボル数＝２個、設定されたＳＲＳの開始シンボル位置＝８、設定されたＳＲＳ終了シンボル位置＝９、部分帯域インデックス＝１、シンボルホッピング周期＝２シンボルなどを指示する。図１５に示したように、１番目のＳＲＳスロットのためのＤＣＩは、１ｓｔシンボルＳＲＳ開始ＲＢインデックス＝６５、１ｓｔシンボルＳＲＳ終了ＲＢインデックス＝９７、２ｎｄシンボルＳＲＳ割り当て開始ＲＢインデックス＝９７、２ｎｄシンボルＳＲＳ割り当て終了ＲＢインデックス＝１２９を指示する。
【０１６０】
他の実施例として、周期的なＳＲＳ送信時、基地局がＩｎｔｅｒ−ｓｌｏｔホッピング設定のためのパラメータをＲＲＣシグナリングにより送信し、ｉｎｔｒａ−ｓｌｏｔホッピング設定のためのパラメータをＤＣＩにより送信することを例示する(但し、シンボルごとのＳＲＳリソース位置は、ｉｎｔｒａ−ｓｌｏｔホッピングパターンによって決定)。
【０１６１】
Ｉｎｔｅｒ−ｓｌｏｔホッピング設定のための(専用の)ＲＲＣシグナリングは、ＳＲＳ割り当て開始ＲＢインデックス＝１、ＳＲＳ割り当て終了ＲＢインデックス＝１２９ＲＢ、部分帯域インデックス＝１、Ｉｎｔｅｒ−ｓｌｏｔホッピング周期＝２ＳＲＳスロットなどを指示する。
【０１６２】
ｉｎｔｒａ−ｓｌｏｔホッピング設定のための(専用の)ＲＲＣシグナリングは、１番目のＳＲＳスロットのためのＤＣＩは、ＳＲＳ ＢＷ＝１６ＲＢｓ、ＳＲＳ送信スロット内の設定されたＳＲＳのシンボル数＝４個、設定されたＳＲＳ開始シンボル位置＝８、設定されたＳＲＳ終了シンボル位置＝１１、部分帯域インデックス＝１、部分帯域内の副帯域インデックス＝１、シンボルホッピング周期＝４シンボルなどを指示する。２番目のＳＲＳスロットのためのＤＣＩは、ＳＲＳ ＢＷ＝３２ＲＢｓ、ＳＲＳ送信スロット内の設定されたＳＲＳのシンボル数＝２個、設定されたＳＲＳ開始シンボル位置＝８、設定されたＳＲＳ終了シンボル位置＝９、部分帯域インデックス＝１、部分帯域内の副帯域インデックス＝２、シンボルホッピング周期＝２シンボルなどを指示する。
【０１６３】
提案２−１−３
【０１６４】
周期的／半持続的ＳＲＳの場合、基地局は、Ｉｎｔｅｒ−ｓｌｏｔ周波数ホッピング設定のためのパラメータと、ｉｎｔｒａ−ｓｌｏｔホッピング設定のためのパラメータを(専用の)ＲＲＣシグナリングにより端末に送信する。提案２−１−３のような設定は周波数ホッピングのためのオーバーヘッドが最も小さい設定の一つである。ｉｎｔｒａ−ｓｌｏｔホッピングとＩｎｔｅｒ−ｓｌｏｔホッピングを適用する時、ホッピングパターンに従って規則的にホッピングが行われる。
【０１６５】
図１６は提案２−１−３によるｉｎｔｒａ−ｓｌｏｔホッピング設定のためのパラメータ及びＩｎｔｅｒ−ｓｌｏｔホッピング設定のためのパラメータをＲＲＣシグナリングにより送信することを例示する図である。
【０１６６】
Ｉｎｔｅｒ−ｓｌｏｔホッピング設定のための(専用の)ＲＲＣの例示
【０１６７】
Ｉｎｔｅｒ−ｓｌｏｔホッピング設定のための専用のＲＲＣシグナリングは、ＳＲＳ割り当て開始ＲＢインデックス＝１、ＳＲＳ割り当て終了ＲＢインデックス＝１２９ＲＢ、部分帯域インデックス＝１、Ｉｎｔｅｒ−ｓｌｏｔホッピング周期＝２ＳＲＳスロットなどを指示する。
【０１６８】
ｉｎｔｒａ−ｓｌｏｔホッピング設定のための(専用の)ＲＲＣの例示
【０１６９】
ｉｎｔｒａ−ｓｌｏｔホッピング設定のための(専用の)ＲＲＣシグナリングは、ＳＲＳ割り当て開始ＲＢインデックス＝１、ＳＲＳ割り当て終了ＲＢインデックス＝１７、ＳＲＳ ＢＷ＝１６ＲＢｓ、ＳＲＳ送信スロット内の設定されたＳＲＳのシンボル数＝４個、設定されたＳＲＳ開始シンボル位置＝８、設定されたＳＲＳ終了シンボル位置＝１１、部分帯域インデックス＝１、シンボルホッピング周期＝４シンボルなどを指示する。
【０１７０】
提案２−１−４
【０１７１】
周期的／半持続的ＳＲＳの場合、基地局はＩｎｔｅｒ−ｓｌｏｔホッピング設定のためのパラメータとｉｎｔｒａ−ｓｌｏｔホッピング設定のためのパラメータを(専用の)ＲＲＣにより送信するが、一部のパラメータはＤＣＩによりＳＲＳ送信スロットのホッピング情報のために送信することができる。特定の一部パラメータの動的な情報取得によって、ホッピングする時に若干のフレキシブルな設定が可能になる。この場合、オーバーヘッドの負担が大きくない。
【０１７２】
一部ホッピングパラメータのＤＣＩ送信の例示
【０１７３】
Ｉｎｔｅｒ−ｓｌｏｔホッピング設定のための専用のＲＲＣシグナリングは、ＳＲＳ割り当て開始ＲＢインデックス＝１、ＳＲＳ割り当て終了ＲＢインデックス＝１２９、部分帯域インデックス＝１、Ｉｎｔｅｒ−ｓｌｏｔホッピング周期＝２ＳＲＳスロットなどを指示する。ｉｎｔｒａ−ｓｌｏｔホッピング設定のための専用のＲＲＣシグナリングは、ＳＲＳ ＢＷ＝１６ＲＢｓ、ＳＲＳ送信スロット内の設定されたＳＲＳのシンボル数＝４個、設定されたＳＲＳ開始シンボル位置＝８、設定されたＳＲＳ終了シンボル位置＝１１、部分帯域インデックス＝１、シンボルホッピング周期＝４シンボルなどを指示する。
【０１７４】
ｉｎｔｒａ−ｓｌｏｔホッピング設定のためのＤＣＩ
【０１７５】
１番目のＳＲＳスロットのためのＤＣＩは、ＳＲＳ副帯域インデックス(１〜６４ＲＢ)＝１であることを指示する。２番目のＳＲＳスロットのためのＤＣＩは、ＳＲＳ副帯域インデックス(１〜６４ＲＢ)＝２であることを指示する。
【０１７６】
提案２−１−５
【０１７７】
周期的／半持続的なＳＲＳの場合、ホッピング周期(ホッピング開始リソースでホッピングを行った後、再度始めのホッピングリソース位置に戻る間隔)の間に、ホッピングを行った後、次のホッピングを行う時にシンボル間のホッピングパターンを変更するパラメータ(例えば、ホッピングオフセット値)を定義する。このパラメータはＤＣＩ又はＲＲＣシグナリングにより送信される。
【０１７８】
提案２−１−５によるホッピングオフセットでは、ホッピングパターンを一定時間変更して、ホッピング時に発生する干渉の影響を分散させる効果が得られる。一実施例として、ホッピングパターンをホッピング周期ごとに変更するパラメータを適用することができる。
【０１７９】
図１７はホッピング周期ごとに異なるｉｎｔｒａ−ｓｌｏｔホッピングパターン適用を例示する図である。
【０１８０】
ホッピング周期ごとにｉｎｔｒａ−ｓｌｏｔホッピングパターンを変更するためのパラメータ
2020537437.tif 000031
を考慮する時、
2020537437.tif 000032
はホッピング周期ごとに基地局が端末にＤＣＩにより送信するか、数３における
2020537437.tif 000033
に従い、図１５のように以前のホッピング周期で使用したｉｎｔｒａ−ｓｌｏｔホッピングパターンではない他のｉｎｔｒａ−ｓｌｏｔホッピングパターンでホッピングを行う。
【０１８１】
ホッピング周期が
2020537437.tif 000034
である時、以下の数３のように示すことができる。
【０１８２】
【数３】
2020537437.tif 000035
【０１８３】
但し、L'は一つのＳＲＳスロットに割り当てられたＳＲＳのシンボル数である。
【０１８４】
2020537437.tif 000036
は一つのシンボルに割り当てられるＳＲＳリソースの長さ、ＵＬ ＢＷ長さ、
2020537437.tif 000037
とL'を用いて示すことができる。即ち、
2020537437.tif 000038
【０１８５】
提案２−２−１
【０１８６】
非周期的なＳＲＳの場合、基地局は、ｉｎｔｅｒ−ｓｌｏｔホッピング設定のためのパラメータと、ｉｎｔｒａ−ｓｌｏｔホッピング設定のためのパラメータを(専用の)ＲＲＣにより設定し、端末に送信する。或いは、ＭＡＣ−ＣＥで設定／送信する。基地局がＭＡＣ−ＣＥで送信する時には、活性化信号と非活性化信号又はタイマーを用いて、ＭＡＣ−ＣＥで送信されたホッピングパラメータの有効区間が定められる。所定のｉｎｔｒａ−ｓｌｏｔ／ｉｎｔｅｒ−ｓｌｏｔホッピングパターンで動的にＳＲＳがトリガされる度に、ホッピングされることができる。この場合、オーバーヘッドも少ない。
【０１８７】
図１８は非周期的なＳＲＳ送信時、同じｉｎｔｒａ−ｓｌｏｔホッピングパターンを適用した例示を示す図である。
【０１８８】
Ｉｎｔｅｒ−ｓｌｏｔホッピング設定のためのパラメータと、ｉｎｔｒａ−ｓｌｏｔホッピング設定のためのパラメータがＲＲＣシグナリングにより設定／送信される(特定の副帯域におけるホッピング適用の例示)。
【０１８９】
Ｉｎｔｅｒ−ｓｌｏｔホッピング設定のための(専用の)ＲＲＣシグナリングは、ＳＲＳ割り当て開始ＲＢインデックス＝１、ＳＲＳ割り当て終了ＲＢインデックス＝１２９、副帯域インデックス＝１、部分帯域インデックス＝１などを指示する。ｉｎｔｒａ−ｓｌｏｔホッピング設定のための(専用の)ＲＲＣシグナリングは、ＳＲＳ ＢＷ＝１６ＲＢｓ、ＳＲＳ送信スロット内の設定されたＳＲＳのシンボル数＝４個、設定されたＳＲＳ開始シンボル位置＝８、設定されたＳＲＳ終了シンボル位置＝１１、副帯域インデックス＝１、部分帯域インデックス＝１、シンボルホッピング周期＝４シンボルなどを指示する。
【０１９０】
図１８に示したように、Ｉｎｔｅｒ−ｓｌｏｔホッピング設定のためのパラメータと、ｉｎｔｒａ−ｓｌｏｔホッピング設定のためのパラメータがＲＲＣシグナリングにより設定／送信され、非周期的ＳＲＳはＳＲＳスロット１、ＳＲＳスロット５、ＳＲＳスロット１２でトリガされる。
2020537437.tif 000039
のように設定される場合、シンボルホッピングのパターンが同一に適用される例示になる。
【０１９１】
図１９は非周期的なＳＲＳ送信時、異なるｉｎｔｒａ−ｓｌｏｔホッピングパターンの適用を例示する図である。
【０１９２】
もし、
2020537437.tif 000040
のように設定されると、図１９に示したように、スロットごとに異なるｉｎｔｒａ−ｓｌｏｔパターンを示すことができる。他の実施例として、基地局はＩｎｔｅｒ−ｓｌｏｔホッピング設定のためのパラメータと、ｉｎｔｒａ−ｓｌｏｔホッピング設定のためのパラメータをＲＲＣシグナリングにより設定／送信することができる(特定の部分帯域におけるホッピング適用の例示)。
【０１９３】
図２０は非周期的なＳＲＳ送信時、異なるｉｎｔｒａ−ｓｌｏｔホッピングパターンの適用を例示する図である(部分帯域にわたったホッピング)。
【０１９４】
Ｉｎｔｅｒ−ｓｌｏｔホッピング設定のための(専用の)ＲＲＣシグナリングは、ＳＲＳ割り当て開始ＲＢインデックス＝１、ＳＲＳ割り当て終了ＲＢインデックス＝１２９、部分帯域インデックス＝１などを指示する。ｉｎｔｒａ−ｓｌｏｔホッピング設定のための専用のＲＲＣシグナリングは、ＳＲＳ ＢＷ＝３２ＲＢｓ、ＳＲＳ送信スロット内の設定されたＳＲＳのシンボル数＝４個、設定されたＳＲＳ開始シンボル位置＝８、設定されたＳＲＳ終了シンボル位置＝１１、部分帯域インデックス＝１、シンボルホッピング周期＝４シンボルなどを指示する。
【０１９５】
図２０に示すように、Ｉｎｔｅｒ−ｓｌｏｔホッピング設定のためのパラメータと、ｉｎｔｒａ−ｓｌｏｔホッピング設定のためのパラメータがＲＲＣシグナリングにより設定／送信され、非周期的ＳＲＳはＳＲＳスロット１、ＳＲＳスロット５、ＳＲＳスロット１２でトリガされる。
2020537437.tif 000041
のように設定されると、スロットごとに異なるｉｎｔｒａ−ｓｌｏｔパターンを示すことができる。
【０１９６】
提案２−２−２
【０１９７】
非周期的なＳＲＳの場合、基地局はＩｎｔｅｒ−ｓｌｏｔホッピング設定のためのパラメータを(専用の)ＲＲＣシグナリングにより設定／送信し、ｉｎｔｒａ−ｓｌｏｔホッピング設定のためのパラメータはＳＲＳがトリガされる時にＤＣＩにより設定／送信する。逆に、基地局は、Ｉｎｔｅｒ−ｓｌｏｔホッピング設定のためのパラメータをＤＣＩによりＳＲＳがトリガされる度に設定／送信し、ｉｎｔｒａ−ｓｌｏｔホッピング設定のためのパラメータは(専用の)ＲＲＣシグナリングにより設定／送信する。
【０１９８】
基地局は動的にｉｎｔｒａ−ｓｌｏｔホッピング、Ｉｎｔｅｒ−ｓｌｏｔホッピングのためのパラメータに関する情報をＳＲＳがトリガされる度に端末に提供することができる。もちろん、この場合、基地局のシグナリングオーバーヘッドは増加する可能性がある。
【０１９９】
図２１は非周期的なＳＲＳ送信時、異なるｉｎｔｒａ−ｓｌｏｔホッピングパターンの適用を例示する(特定の副帯域にわたったホッピング)。一実施例として、非周期的なＳＲＳの場合、基地局はＩｎｔｅｒ−ｓｌｏｔホッピング設定のためのパラメータは(専用の)ＲＲＣシグナリングにより設定／送信し、ｉｎｔｒａ−ｓｌｏｔホッピング設定のためのパラメータはＤＣＩにより設定／送信する。図２１において、ＳＲＳスロット位置が１、５、１２であるインデックスでＳＲＳが非周期的にトリガされる。基地局は非周期的なＳＲＳトリガリングを指示する時、以下の情報を共に端末に送信する。Ｉｎｔｅｒ−ｓｌｏｔホッピング設定のための(専用の)ＲＲＣシグナリングは、ＳＲＳ割り当て開始ＲＢインデックス＝１、ＳＲＳ割り当て終了ＲＢインデックス＝１２９、部分帯域インデックス＝１であることを指示する。
【０２００】
ｉｎｔｒａ−ｓｌｏｔホッピング設定のためのＤＣＩ送信の例示として、ＳＲＳスロット１のためのＤＣＩは、ＳＲＳ ＢＷ＝１６ＲＢｓ、ＳＲＳ送信スロット内の設定されたＳＲＳのシンボル数＝４個、設定されたＳＲＳ開始シンボル位置＝８、設定されたＳＲＳ終了シンボル位置＝１１、部分帯域インデックス＝１、部分帯域内の副帯域インデックス＝１、シンボルホッピング周期＝４シンボルなどを指示する。ＳＲＳスロット５のためのＤＣＩは、ＳＲＳ ＢＷ＝３２ＲＢｓ、ＳＲＳ送信スロット内の設定されたＳＲＳシンボル数＝２個、設定されたＳＲＳ開始シンボル位置＝８、設定されたＳＲＳ終了シンボル位置＝９、部分帯域インデックス＝１、部分帯域内の副帯域インデックス＝２、シンボルホッピング周期＝２シンボルなどを指示する。ＳＲＳスロット１２のためのＤＣＩは、ＳＲＳ ＢＷ＝１６ＲＢｓ、ＳＲＳ送信スロット内の設定されたＳＲＳシンボル数＝４個、設定されたＳＲＳ開始シンボル位置＝８、設定されたＳＲＳ終了シンボル位置＝１１、部分帯域インデックス＝１、部分帯域内の副帯域インデックス＝１、シンボルホッピング周期＝４シンボルなどを指示する。
【０２０１】
この時、ｉｎｔｒａ−ｓｌｏｔパターンを示す値を
2020537437.tif 000042
とすると、スロットごとに異なるｉｎｔｒａ−ｓｌｏｔパターンを設定することができる。
【０２０２】
提案２−２−３
【０２０３】
非周期的ＳＲＳの場合、基地局は、Ｉｎｔｅｒ−ｓｌｏｔホッピング設定のためのパラメータ及び／又はｉｎｔｒａ−ｓｌｏｔホッピング設定のためのパラメータのうち、特定のセットに関する情報をＲＲＣシグナリングにより設定／送信するか、又は要請フィールドを含むＤＣＩにより端末に送信することができる。この場合、シグナリングのオーバーヘッドを相当に減らすことができる。
【０２０４】
図２２は非周期的なＳＲＳの送信時、ホッピングパラメータセットを用いた要請フィールドの送信によるＳＲＳ送信を例示する図である。
【０２０５】
以下の表４は、提案２−２−３によるｉｎｔｒａ−ｓｌｏｔホッピングの設定パラメータセットを例示する表である。
【０２０６】
【表３】
2020537437.tif 000043
【０２０７】
図２２に示すように、非周期的ＳＲＳは、ＳＲＳスロット位置が１、５、１２に該当するスロットインデックスでトリガされる。図２２は、基地局が、ＳＲＳスロット１のための要請フィールドは'００'を指示するＤＣＩを、ＳＲＳスロット５のための要請フィールドは'０１'を指示するＤＣＩを、ＳＲＳスロット１２のための要請フィールドは'１１'を指示するＤＣＩを端末に送信したことを例示している。
【０２０８】
提案２−２−４
【０２０９】
非周期的ＳＲＳの場合、基地局はＩｎｔｅｒ−ｓｌｏｔホッピングパターンのセットをＲＲＣシグナリングにより設定／送信し、非周期的な多重ＳＲＳのシンボルをトリガする時にはｉｎｔｒａ−ｓｌｏｔホッピング要請フィールドをＤＣＩにより送信することもできる。ＳＲＳがトリガされる時、多重ＳＲＳのシンボルの間に異なるホッピングパターンがフレキシブルに設定されることができる。以下の表５は、シンボルレベルのホッピング要請フィールドを例示する表である。
【０２１０】
【表４】
2020537437.tif 000044
【０２１１】
提案２−２−５
【０２１２】
ｉｎｔｒａ−ｓｌｏｔホッピングパターンのセット(例えば、表１３のようなホッピング要請フィールド‘００’、‘０１’、‘１０’、‘１１’)と、シーケンスパラメータセット(例えば、ＴＣ、ＴＣオフセット、ＣＳ、ルートなど)の組み合わせを示すセットを基地局がＲＲＣシグナリングにより設定／送信し、そのＳＲＳトリガされたスロットにおいて適用するための一つ又は複数の要請フィールドはＵＬ ＤＣＩにより送信することができる。一例として、表６は、シーケンスパラメータセット(例えば、ＴＣ、ＴＣオフセット、ＣＳ、ルートなど)とホッピングパラメータセットの要請フィールドを例示する。
【０２１３】
【表５】
2020537437.tif 000045
【０２１４】
端末は、ＤＣＩにより受けた要請フィールドが指示するホッピングパターンと、シーケンスパラメータセットを選択して、ＳＲＳシーケンスを生成してＳＲＳを送信する。
【０２１５】
提案２−２−６
【０２１６】
非周期的な多重ＳＲＳシンボルをトリガする時、トリガリングカウンタ(ｔｒｉｇｇｅｒｉｎｇ ｃｏｕｎｔｅｒ)(Ｎ)を導入する。トリガリングカウンタＮは基地局がＤＣＩにより又はＲＲＣシグナリングにより設定／送信することができる。
【０２１７】
図２３はトリガリングカウンタＮ＝３である時のホッピングを例示する図である。
【０２１８】
2020537437.tif 000046
においてｎは基準ＵＬスロットから非周期的な多重ＳＲＳシンボルがトリガされた数で示すことができる。
【０２１９】
提案２−３
【０２２０】
半持続的ＳＲＳの場合、ｉｎｔｒａ−ｓｌｏｔ及び／又はｉｎｔｅｒ−ｓｌｏｔホッピングのために、スロット／シンボルレベルのパラメータと共に、ホッピング開始及びホッピング終了を示す動作のためのパラメータ(例えば、スロット／シンボルレベルのホッピングが開始されるＳＲＳトリガされたスロットインデックス、半持続的な周波数ホッピング活性化、スロット／シンボルレベルのホッピングが終了するＳＲＳトリガされたスロットインデックス、半持続的周波数ホッピングの非活性化)について、基地局がＤＣＩ又はＭＡＣ−ＣＥにより端末に設定／送信することができる。ホッピングの非活性化のためのタイマーが活性化時に動作することができる。
【０２２１】
半持続的ＳＲＳが活性化され、ホッピングが活性化されると、ホッピング設定のためのパラメータが有効になり、ホッピングが非活性化されると、ホッピング設定のためのパラメータは有効ではなくなる。
【０２２２】
提案２−４
【０２２３】
セルエッジ(ｃｅｌｌ ｅｄｇｅ)に位置した端末については、基地局は、ＳＲＳ受信電力を得るためにＳＲＳシンボル繰り返し回数を定義して、繰り返し回数までは同一位置でＳＲＳリソースを割り当て、次のＳＲＳシンボル又はＳＲＳスロットにホッピングを行うように設定することができる。この時、シンボル繰り返し回数に関する情報は、基地局がＲＲＣシグナリング又はＵＬ ＤＣＩにより端末に送信することができる。よって、繰り返し回数だけ同一の周波数リソースに割り当てられたＳＲＳのシンボル間は受信側(基地局)で結合することができる。
【０２２４】
図２４は繰り返し回数を２(Ｒｅｐｅｔｉｔｉｏｎ ｒ＝２)に設定した時のシンボルレベルのホッピングを例示する図である。
【０２２５】
図２４に示したように、シンボルシンボル繰り返し回数ｒ＝２である場合、L'＝４、
2020537437.tif 000047
である時、周期的ＳＲＳの場合、
2020537437.tif 000048
で示すことができる。
2020537437.tif 000049
は設定されたＳＲＳスロット内の設定されたＳＲＳシンボル数である。非周期的ＳＲＳの場合、一つのスロットにおける設定のみが必要である可能性があるため、
2020537437.tif 000050
で示すことができる。
【０２２６】
提案２−４−１
【０２２７】
セルエッジに位置した端末は、ＳＲＳ受信電力を得るために設定された多重シンボルにＵＬ全帯域の送信を行うことができる。この時、シーケンスパラメータ及びそのＳＲＳリソースにマッピングされたプリコーディングベクトル、ポートは、同様に適用することができる。
【０２２８】
提案２−５
【０２２９】
ｉｎｔｒａ−ｓｌｏｔ及び／又はＩｎｔｅｒ−ｓｌｏｔホッピング設定を統合する単一のホッピング設定によってＳＲＳホッピングを支援することができる。この時のパラメータは以下の通りである。
【０２３０】
単一のホッピング設定のためのパラメータに関する情報がＳＲＳリソース位置情報を含む場合：単一のホッピング設定のためのパラメータに関する情報は、ホッピング有効シンボルから各シンボルにおいてＳＲＳリソース割り当て位置を示す値(例えば、ＲＩＶ(ｒｅｓｏｕｒｃｅ ｉｎｄｉｃａｔｉｏｎ ｖａｌｕｅ)、ＲＥ／ＲＢインデックス、副帯域インデックス、部分帯域インデックス)、ＳＲＳ送信スロット内の設定されたＳＲＳのシンボル数及びインデックス、ｉｎｔｒａ−ｓｌｏｔホッピング周期、ｉｎｔｅｒ−ｓｌｏｔホッピング周期、ホッピングの有効有無を示すホッピング有効フラグなど)に関する情報を含む。
【０２３１】
ホッピングパターンを用いる場合、単一のホッピング設定のためのパラメータに関する情報は、ＳＲＳ送信スロット内の設定されたＳＲＳのシンボル数及びインデックス、シンボルレベルのホッピング周期、スロットレベルのホッピング周期、ｉｎｔｒａ−ｓｌｏｔ及び／又はＩｎｔｅｒ−ｓｌｏｔホッピングパターン、ホッピングイネーブルフラグなどを含む。
【０２３２】
図２５はＳＲＳのシンボル数によるホッピングパターンを例示する図である。
【０２３３】
一実施例として、ホッピングパターンを用いる場合を例示する。
【０２３４】
周波数ホッピング設定のための(専用の)ＲＲＣシグナリングの例示
【０２３５】
周波数ホッピング設定のための(専用の)ＲＲＣシグナリングは、ＳＲＳ ＢＷ＝３２ＲＢ、ＳＲＳ送信スロット内の設定されたＳＲＳのシンボル数
2020537437.tif 000051
設定されたＳＲＳの開始シンボル位置(或いはインデックス)＝８、設定されたＳＲＳの終了シンボル位置(或いはインデックス)＝１１、部分帯域インデックス＝１、シンボルホッピング周期
2020537437.tif 000052
スロットホッピング周期
2020537437.tif 000053
などに関する情報を含む。
2020537437.tif 000054
で設定すると(ここで、nＳＲＳは時間ドメインにおけるホッピング間隔)、図２５に示すように、ホッピングパターンがＳＲＳスロットによって変更されるよりは、ＳＲＳシンボル数によって形成されることができる。
【０２３６】
図２６はＳＲＳのシンボル数によるホッピングパターン(ＳＲＳスロット内のＳＲＳシンボル数がシンボルホッピング周期より小さい場合)を例示する図である。
【０２３７】
他の実施例として、ホッピングパターンを用いる場合を例示する。図２５の例示では、一つのＳＲＳスロット内のシンボル数がシンボルホッピング周期より小さい時にも容易にホッピングを適用される。
【０２３８】
周波数ホッピング設定のための(専用の)ＲＲＣの例示
【０２３９】
周波数ホッピング設定のための(専用の)ＲＲＣシグナリングは、システム帯域幅に関する情報(ＳＲＳ ＢＷ＝３２ＲＢｓ)、ＳＲＳ送信スロット内の設定されたＳＲＳシンボル数
2020537437.tif 000055
設定されたＳＲＳの開始シンボル位置(或いはインデックス)＝８、設定されたＳＲＳの終了シンボル位置(或いはインデックス)＝９、部分帯域インデックス＝１、シンボルホッピング周期
2020537437.tif 000056
スロットホッピング周期
2020537437.tif 000057
などに関する情報を含む。時間ドメインにおけるホッピング間隔であるnＳＲＳは
2020537437.tif 000058
のように設定できる。
【０２４０】
提案３
【０２４１】
周期的／非周期的／半持続的ＳＲＳにおいて、シンボルレベルのホッピングを設定する場合、部分帯域間のホッピングを支援するために、ホッピングパターンパラメータのＲＲＣ設定と、ＳＲＳリソース位置情報のＤＣＩ設定動作は、以下のうちのいずれか一つで行うことができる。
【０２４２】
部分帯域インデックスが含まれたシンボルレベルのホッピングパターンパラメータは、ＲＲＣシグナリングにより設定／送信される。基地局は部分帯域インデックスをＳＲＳの多重シンボル送信ごとにＤＣＩにより送信し、シンボルレベルのホッピングパターンパラメータはＲＲＣシグナリングにより設定／送信する。但し、部分帯域インデックスは部分帯域を指定する周波数位置を示す他の情報に代替することができる(例えば、部分帯域の位置及び範囲を示すＲＩＶ、部分帯域の開始ＲＥ／ＲＢと終了ＲＥ／ＲＢ)。
【０２４３】
図２７は以下のケース１−１に関する説明を例示する図である。
【０２４４】
ケース１：一つの部分帯域内でＳＲＳシンボル間のホッピングパターンを適用し、次のＳＲＳトリガされたスロットで他の部分帯域にホッピングされる場合である。ケース１−１として、図２７に示したように、次のＳＲＳトリガされたスロットでシンボル間ホッピングパターンは、以前のホッピングパターンと同様に設定されることができる。
【０２４５】
一実施例として、部分帯域インデックスが含まれたシンボルレベルのホッピングパターンの設定を例示する。
【０２４６】
ＮＲにおいて、１フレーム
2020537437.tif 000059
内のスロット数が
2020537437.tif 000060
であり、この時の各スロットのインデックスは
2020537437.tif 000061
で示し、l'は設定されたＳＲＳのシンボルインデックスであると、ホッピングのためのnＳＲＳは、以下の数４のように設定することができる。
【０２４７】
【数４】
2020537437.tif 000062
【０２４８】
但し、
2020537437.tif 000063
は部分帯域インデックス
2020537437.tif 000064
によるホッピングポジション関数である。BＳＲＳ は一つの部分帯域に及ぶ(ｓｐａｎ)。
2020537437.tif 000065
である。
2020537437.tif 000066
は部分帯域の帯域幅を示すＲＥ数である。
2020537437.tif 000067
である。
2020537437.tif 000068
は全体の部分帯域数である。c()はスクランブリング関数である。
【０２４９】
他の実施例として、基地局は部分帯域インデックスをＤＣＩにより送信し、シンボルレベルのホッピングパターンを例示する。
【０２５０】
数４において、
2020537437.tif 000069
はＤＣＩによりＳＲＳが送信されるスロットごとに基地局がＤＣＩにより送信し、
2020537437.tif 000070
を用いて、
2020537437.tif 000071
が構成される。
【０２５１】
図２８は以下のケース１−２に関する説明を例示する図である。
【０２５２】
ケース１−２：ホッピングパターンに関する情報は、部分帯域インデックス又は部分帯域を示す値(部分帯域のＲＢ及び／又はＲＥなど)などを含み、基地局はホッピングパターンに関する情報を端末−特定(ＵＥ ｓｐｅｃｉｆｉｃ)に設定することができる。一実施例として、図２８の部分帯域インデックスが含まれたシンボルレベルのホッピングパターンの設定を以下の数５のように示すことができる。
【０２５３】
【数５】
2020537437.tif 000072
【０２５４】
但し、BＳＲＳは一つの部分帯域に及ぶ。
【０２５５】
繰り返しシンボルを考慮する時、以下のように示すことができる。
【０２５６】
2020537437.tif 000073
【０２５７】
図２９は以下のケース２に関する説明を例示する図である。
【０２５８】
ケース２として、図２９に示したように、一つの多重ＳＲＳのシンボルが設定されたスロット内において、部分帯域に関係なく、ホッピングパターンを適用することができる。
【０２５９】
一実施例として、一つの多重ＳＲＳのシンボルが設定されたスロット内の部分帯域に関係ないホッピングパターンの例示は、以下の数６のように示すことができる。
【０２６０】
【数６】
2020537437.tif 000074
【０２６１】
但し、BＳＲＳ は全体上りリンク帯域幅(ＵＬ ＢＷ)に及ぶ。
【０２６２】
繰り返しシンボルを考慮する場合、以下のように示すことができる。
【０２６３】
2020537437.tif 000075
【０２６４】
図３０は以下のケース３に関する説明を例示する図である。
【０２６５】
ケース３として、部分帯域間の周波数ホッピング許容が禁止されてもよい。図３０の(ａ)は固定的ｉｎｔｒａ−ｓｌｏｔホッピングパターンを例示し、図３０の(ｂ)は他のＩｎｔｅｒ−ｓｌｏｔホッピングパターンを例示している。BＳＲＳは部分帯域に及ぶように設定される。
【０２６６】
提案４
【０２６７】
周期的／非周期的／半持続的なＳＲＳにおいて、部分帯域間のホッピングを支援するＩｎｔｅｒ−ｓｌｏｔ周波数ホッピング設定のためのパラメータに関する情報を送信する方法を提案する。
【０２６８】
提案４−１
【０２６９】
ＳＲＳ周波数リソース位置、ＳＲＳトリガされたスロット内のＳＲＳシンボル数及びＳＲＳシンボル位置、送信する部分帯域の位置設定に関する情報は、基地局がＲＲＣシグナリング(例えば、ＵＥ専用のＲＲＣシグナリング)により端末に設定／送信する。
【０２７０】
図３１は周期的／非周期的なＳＲＳの送信時、固定されたＳＲＳリソース位置の設定を例示する図である。
【０２７１】
図３１に示した構造は、特定の部分帯域におけるＩｎｔｅｒ−ｓｌｏｔホッピングのみを支援する時に可能なものであり、特に連続して連接するＳＲＳシンボルのエネルギー結合(ｅｎｅｒｇｙ ｃｏｍｂｉｎｉｎｇ)によってＳＲＳ受信性能を向上させる構造である。
【０２７２】
提案４−２
【０２７３】
基地局はＳＲＳ周波数リソース位置、ＳＲＳトリガされたスロット内のＳＲＳシンボル数及びＳＲＳシンボル位置に関する情報をＲＲＣシグナリング(例えば、ＵＥ専用のＲＲＣシグナリング)により設定／送信し、送信する部分帯域の位置はＤＣＩにより設定／送信する。
【０２７４】
提案４−３
【０２７５】
基地局はＳＲＳ周波数リソース位置、ＳＲＳトリガされたスロット内のＳＲＳシンボル数及びＳＲＳシンボル位置に関する情報をＲＲＣシグナリング(例えば、ＵＥ専用のＲＲＣシグナリング)により設定／送信し、送信する部分帯域の位置設定にはＩｎｔｅｒ−ｓｌｏｔホッピングパターンを適用する。
【０２７６】
図３２は周期的／非周期的なトリガリングの時、部分帯域間のホッピング設定を例示する図である。
【０２７７】
図３２に示したように、部分帯域の位置は動的に変化する。一実施例として、Ｉｎｔｅｒ−ｓｌｏｔホッピングパターン(部分帯域間のホッピング)の例示を以下の数７のように示す。
【０２７８】
【数７】
2020537437.tif 000076
【０２７９】
なお、繰り返しシンボルを考慮する時には
2020537437.tif 000077
【０２８０】
2020537437.tif 000078
のように示すことができる。
【０２８１】
提案４−４
【０２８２】
基地局はＳＲＳ周波数リソース位置に関する情報を(専用の)ＲＲＣシグナリングにより設定／送信し、ＳＲＳのシンボル数及び部分帯域の位置に関する情報はＤＣＩにより設定／送信する。
【０２８３】
提案４−５
【０２８４】
基地局はＳＲＳ周波数リソース位置に関する情報を(専用の)ＲＲＣシグナリングにより設定／送信し、ＳＲＳのシンボル数及び部分帯域の位置にはＩｎｔｅｒ−ｓｌｏｔホッピングパターンを適用する。
【０２８５】
図３３は周期的／非周期的なＳＲＳトリガリングの時、部分帯域間のホッピング設定を例示する図である。
【０２８６】
図３３に示したように、部分帯域ホッピングをＳＲＳ送信時にフレキシブルに支援し、ＳＲＳシンボル数もＩｎｔｅｒ−ｓｌｏｔホッピングパラメータの設定で行う構造が考えられる。
【０２８７】
提案４−６
【０２８８】
基地局はＳＲＳのシンボル数、部分帯域の位置に関する情報を(専用の)ＲＲＣにより設定／送信し、ＳＲＳ周波数リソース位置(例えば、ＲＩＶ)に関する情報をＤＣＩにより設定／送信する。
【０２８９】
提案４−７
【０２９０】
基地局はＳＲＳのシンボル数、部分帯域の位置に関する情報を(専用の)ＲＲＣシグナリングにより設定／送信し、ＳＲＳ周波数リソース位置に関する情報にはＩｎｔｅｒ−ｓｌｏｔホッピングパターンを適用する。
【０２９１】
図３４は周期的／非周期的なＳＲＳトリガリングの時にＳＲＳリソース位置を変更することを例示する図である(部分帯域は固定)。図３４に示したように、部分帯域間のホッピングは禁止されるが、一つの部分帯域内でのＩｎｔｅｒ−ｓｌｏｔホッピングを許可する構造が可能である。
【０２９２】
提案４−８
【０２９３】
基地局はＳＲＳのシンボル数に関する情報を(専用の)ＲＲＣシグナリングにより設定／送信し、部分帯域の位置、ＳＲＳ周波数リソース位置(例えば、ＲＩＶ)に関する情報はＤＣＩにより設定／送信する。
【０２９４】
提案４−９
【０２９５】
基地局はＳＲＳのシンボル数に関する情報を(専用の)ＲＲＣシグナリングにより設定／送信し、部分帯域の位置にはＩｎｔｅｒ−ｓｌｏｔホッピングパターンを用いる。基地局はＳＲＳ周波数リソース位置(例えば、ＲＩＶ)に関する情報をＤＣＩにより設定／送信する。
【０２９６】
提案４−１０
【０２９７】
基地局はＳＲＳのシンボル数に関する情報を(専用の)ＲＲＣシグナリングにより設定／送信し、部分帯域の位置、ＳＲＳ周波数リソースの位置(例えば、ＲＩＶ)については、Ｉｎｔｅｒ−ｓｌｏｔホッピングパターンを適用することができる。
【０２９８】
図３５は周期的／非周期的ＳＲＳトリガリングの時にＳＲＳリソース位置を可変する例示を示す図である(部分帯域の位置は可変)。
【０２９９】
図３５は端末間のスロット内のＳＲＳシンボル数は固定し(即ち、端末と基地局との距離による受信信号差によってエネルギー結合シンボルの数を固定)、ＳＲＳスロット間の部分帯域ホッピングを許可する設定を示す。
【０３００】
提案５
【０３０１】
狭帯域ＲＦを有する端末のＵＬ全帯域又はＵＬ ＳＲＳ部分帯域の上りリンクリソース割り当てのために、ｉｎｔｒａ−ｓｌｏｔホッピングの時、リチューニング時間(ｒｅｔｕｎｉｎｇ ｔｉｍｅ)を適用可能に設定されたＳＲＳのシンボルのうち、所定数のシンボル(ｎシンボル)を空ける。但し、ｎは設定されたＳＲＳのシンボル数L'より小さい。このｎ値は、各々の狭帯域ＲＦ性能を有する端末のリチューニング遅延によって決定されるため、狭帯域ＲＦを使用する端末はリチューニング遅延値を基地局に報告することができ、基地局は、この報告に基づいて全体の設定されたＳＲＳシンボル内のいずれの位置にいくつのＳＲＳシンボルを空けるかを端末に指示することができる。
【０３０２】
提案５−１
【０３０３】
基地局は設定されたＳＲＳスロット内の空シンボル(ｅｍｐｔｙ ｓｙｍｂｏｌ)の位置に関する情報をセル特定のＲＲＣシグナリングにより設定／送信することができる。
【０３０４】
基地局は端末からのＲＦ能力報告なしに一括して特定のＳＲＳシンボルを空け、この空けられたシンボルは他の上りリンクチャネルのために使用可能である。従って、この空けられたシンボル境界で局部的(ｌｏｃａｌｉｚｅｄ)リソースＳＲＳ内でシンボルレベルのホッピングを行う設定が基本になり得る。
【０３０５】
提案５−２
【０３０６】
基地局は設定されたＳＲＳスロット内の空シンボル(ｅｍｐｔｙ ｓｙｍｂｏｌ)の位置をＵＥ−専用のＲＲＣシグナリングにより設定／送信する。
【０３０７】
提案５−３
【０３０８】
基地局は設定されたＳＲＳスロット内の空シンボルの位置に対して設定されたシンボルl'≦L'内において空け開始位置l'０ から空け始め、再度ＳＲＳのシンボルを送信するシンボルインデックスl'１ で示して端末に送信することができる。この時、l'０≦l'１≦L'の関係が満たされる。
【０３０９】
提案５−４
【０３１０】
端末のＲＦ性能(全体又は部分ＵＬ帯域をカバーする送信ＲＦの程度及び／又はＲＦリチューニングの程度など)を基地局に報告する。基地局は多重ＳＲＳのシンボルトリガリング(周期的／非周期的／半持続的)の時、ｉｎｔｒａ−ｓｌｏｔホッピングパターンによって空シンボルの位置、空シンボルの数及び設定されるＳＲＳのシンボル数をＲＲＣ、ＭＡＣ−ＣＥ又はＤＣＩにより端末−特定に端末に送信する。
【０３１１】
図３６は狭帯域ＲＦ性能を有する端末のＲＦリチューニングを考慮したｉｎｔｒａ−ｓｌｏｔホッピングパターンを例示する図である。
【０３１２】
図３６の(ａ)は特定端末のＳＲＳ ＢＷとＲＦ ＢＷ性能を例示しており、図３６の(ｂ)は図３６の(ａ)の性能において１シンボルのリチューニングを例示している。
【０３１３】
本発明は、ＮＲにおいて、ＳＲＳの送信時にＵＬ全帯域のサウンディングが要求される可能性がある場合、端末のリンク予想値(ｌｉｎｋ ｂｕｄｇｅｔ)などの限界によって全ＵＬ帯域の送信が不可能な端末(例えば、セルエッジ端末)が副帯域サウンディングを多重シンボル又は多重スロットにホッピングしながらＵＬ全帯域のサウンディングを行うようにする設定及び方法について提案する。このようなＳＲＳホッピング設定及び方法は、上りリンクリソース割り当てのみならず、状況に応じては、上りリンクビーム管理のためにも使用される。また、本発明の提案は、狭帯域ＲＦ性能を有するＮＲ端末のホッピング支援のためにＲＦリチューニングを考慮したＳＲＳホッピング設定に関する方法も提案している。
【０３１４】
提案６(ＳＲＳ送信に関連するＳＲＳカウンター)
【０３１５】
ＢＳＲＳはＳＲＳ帯域幅を示すパラメータであって、{０、１、２、３}値を有し、ｂｈｏｐはＳＲＳ周波数ホッピング帯域幅を示すパラメータであって、{０、１、２、３}値を有する。基地局はＢＳＲＳとｂｈｏｐに対する値(或いは情報)を端末にＲＲＣシグナリングにより送信する。ｒはＳＲＳの送信のために設定されたシンボルの繰り返し回数を示し、ｒ＝１、２又は４である。基地局はｒ値をＲＲＣシグナリングにより端末に送信する。
【０３１６】
１スロット内の繰り返しシンボル設定に対するｉｎｔｒａ−ｓｌｏｔホッピングの適用のためのＳＲＳ送信タイミング公式は以下の数８の通りである。ｎＳＲＳはＳＲＳ送信に関連するＳＲＳカウンターである。
【０３１７】
【数８】
2020537437.tif 000079
【０３１８】
ここで、Ｎｓｙｍｂｏｌは一つのスロットに設定されたＳＲＳシンボル数である。Ｎｓは一つの無線フレーム内のスロット数である。
2020537437.tif 000080
はＳＲＳが設定されたシンボルインデックス{０、…、Ｎｓｙｍｂｏｌ−１}である。ｎfは無線フレームインデックスを意味し、ｎsは一つの無線フレーム内のスロットインデックスを示す。ＴＳＲＳは端末特定のサウンディング参照信号を送信した周期を示す。ｒはスロット内においてＳＲＳの繰り返しシンボル数を示す。
【０３１９】
繰り返しシンボル数(ｒ)の設定によって、ｉｎｔｒａ−ｓｌｏｔホッピングのオン／オフ、Ｉｎｔｅｒ−ｓｌｏｔホッピングのオン／オフ、繰り返しシンボルのオン／オフが決定される。
【０３２０】
ｒ＝１である場合
【０３２１】
ｒ＝１であると、ＢＳＲＳ(ＳＲＳ帯域幅を示すパラメータ)とｂｈｏｐ(ＳＲＳ周波数ホッピング帯域幅を示すパラメータ)の関係によってｉｎｔｒａ−ｓｌｏｔホッピング又はＩｎｔｅｒ−ｓｌｏｔホッピングが動作又は実行される(ＢＳＲＳ≦ｂｈｏｐであると、周波数ホッピングは有効にならず、ＢＳＲＳ＞ｂｈｏｐであると、周波数ホッピングが有効になる)。
【０３２２】
ｒ＝２である場合
【０３２３】
ｒ＝２であると、そのスロットに割り当てられるＳＲＳシンボル数によって、ｉｎｔｒａ−ｓｌｏｔホッピング又はＩｎｔｅｒ−ｓｌｏｔホッピングの動作有無が決定される。Ｎｓｙｍｂｏｌが２である場合、ｉｎｔｒａ−ｓｌｏｔホッピングはオフになる。Ｎｓｙｍｂｏｌが４である場合、２つのシンボルグループにｉｎｔｒａ−ｓｌｏｔホッピングが行われる。
【０３２４】
ｒ＝４である場合
【０３２５】
ｒ＝４であると、Ｎｓｙｍｂｏｌが４である場合、ｉｎｔｒａ−ｓｌｏｔホッピングはオフになる。またＩｎｔｅｒ−ｓｌｏｔホッピングはＢＳＲＳとｂｈｏｐの関係によってオン／オフになる。ｒ＝４であり、Ｎｓｙｍｂｏｌが２である場合は、ｒ＞Ｎｓｙｍｂｏｌの関係であるので、ＳＲＳ設定を修正して解釈することができる。即ち、端末はｒ＝４という情報を基地局から受信したが、ｒ＞Ｎｓｙｍｂｏｌの関係である場合には、ｒ＝２と解釈することができる。従って、ｉｎｔｒａ−ｓｌｏｔホッピングはオフになる。またＩｎｔｅｒ−ｓｌｏｔホッピングはＢＳＲＳとｂｈｏｐの関係によってオン／オフになる。例えば、ＢＳＲＳ≦ｂｈｏｐであると、Ｉｎｔｅｒ−ｓｌｏｔホッピングは有効にならず(オフ)、ＢＳＲＳ＞ｂｈｏｐであると、Ｉｎｔｅｒ−ｓｌｏｔホッピングが有効になる(オン)。
【０３２６】
Ｎｓｙｍｂｏｌが２である場合は、ｒ＞Ｎｓｙｍｂｏｌの関係であるが、ｒ＝４はスロットにわたった繰り返しシンボルの数を意味することができる。この場合、ｉｎｔｒａ−ｓｌｏｔホッピングはオフになるが、Ｉｎｔｅｒ−ｓｌｏｔホッピングは特定のスロットグループ(繰り返しスロット数は２より大きい)単位でＢＳＲＳとｂｈｏｐの関係によってオフ／オフになる。例えば、ＢＳＲＳ≦ｂｈｏｐであると、Ｉｎｔｅｒ−ｓｌｏｔホッピングは有効にならず(オフ)、ＢＳＲＳ＞ｂｈｏｐであると、Ｉｎｔｅｒ−ｓｌｏｔホッピングが有効になる(オン)。
【０３２７】
ｒ＞４である場合
【０３２８】
ｒ＞４であると、常にｒ＞Ｎｓｙｍｂｏｌの関係になるので(Ｎｓｙｍｂｏｌは１、２、４のうちのいずれかであるので)、設定を修訂して解釈する必要がある。
【０３２９】
Ｎｓｙｍｂｏｌ＝２である時、端末は基地局からｒ＝４という情報を受信したが、ｒ＝２と解釈する必要がある。従って、ｉｎｔｒａ−ｓｌｏｔホッピングはオフになる。また、Ｉｎｔｅｒ−ｓｌｏｔホッピングはＢＳＲＳとｂｈｏｐの関係によってオン／オフになる。例えば、ＢＳＲＳ≦ｂｈｏｐであると、Ｉｎｔｅｒ−ｓｌｏｔホッピングは有効にならず(オフ)、ＢＳＲＳ＞ｂｈｏｐであると、Ｉｎｔｅｒ−ｓｌｏｔホッピングが有効になる(オン)。
【０３３０】
ｒ＞４であり、Ｎｓｙｍｂｏｌ＝２である時、端末はスロットにわたった繰り返しシンボルが４より大きいと解釈することができる。従って、ｉｎｔｒａ−ｓｌｏｔホッピングはオフになるが、Ｉｎｔｅｒ−ｓｌｏｔホッピングは特定のスロットグループ(繰り返しスロット(ＳＲＳが繰り返して送信されるスロット)の数は２より大きい)単位でＢＳＲＳとｂｈｏｐの関係によってオン／オフになる。例えば、ＢＳＲＳ≦ｂｈｏｐであると、Ｉｎｔｅｒ−ｓｌｏｔホッピングは有効にならず(オフ)、ＢＳＲＳ＞ｂｈｏｐであると、Ｉｎｔｅｒ−ｓｌｏｔホッピングが有効になる(オン)。
【０３３１】
提案６に関連して端末がＳＲＳを送信するためのプロシージャ
【０３３２】
図３７は提案６に関連して端末がＳＲＳを送信するためのプロシージャを例示する図である。
【０３３３】
図３７を参照すると、端末は、基地局から一つのスロットに設定されたＳＲＳシンボル数に関する第１情報及びＳＲＳ送信のために設定されたシンボルの繰り返し回数に関する第２情報を受信する。端末は、ＳＲＳ送信のために設定されたシンボルの繰り返し回数が一つのスロットに設定されたＳＲＳシンボル数より大きいか否かを決定する。端末は、ＳＲＳ送信のために設定されたシンボルの繰り返し回数が一つのスロットに設定されたＳＲＳシンボル数より大きいと、ＳＲＳ送信のために設定されたシンボルの繰り返し回数を一つのスロットに設定されたＳＲＳシンボル数と同じ値に決定する。端末は、決定されたＳＲＳ送信のために設定されたシンボルの繰り返し回数に基づいてＳＲＳを送信する。
【０３３４】
さらに端末は、基地局からＳＲＳ帯域幅を示す第１パラメータ値(ＢＳＲＳ)に関する情報とＳＲＳ周波数ホッピング帯域幅を示す第２パラメータ値(ｂｈｏｐ)に関する情報を受信する。第１パラメータ値が第２パラメータ値より大きい場合、端末はＳＲＳをスロットレベルに(周波数)ホッピングして送信することができる。
【０３３５】
決定されたＳＲＳ送信のために設定されたシンボルの繰り返し回数は、少なくとも２つのスロットにわたった繰り返し回数であると、端末はＳＲＳを少なくとも２つのスロットにわたって送信する。一方、決定されたＳＲＳ送信のために設定されたシンボルの繰り返し回数は、一つのスロットにわたった繰り返し回数であると、端末はＳＲＳを一つのスロットにわたって周波数ホッピングを行わずに送信する。端末は図３７における第１情報及び第２情報、第１パラメータ値(ＢＳＲＳ)に関する情報と、ＳＲＳ周波数ホッピング帯域幅を示す第２パラメータ値(ｂｈｏｐ)に関する情報をＲＲＣシグナリングにより受信することができる。
【０３３６】
提案６に関連して基地局がＳＲＳを受信するためのプロシージャ
【０３３７】
図３８は提案６に関連して基地局がＳＲＳを受信するためのプロシージャを例示する図である。
【０３３８】
図３８を参照すると、基地局は、一つのスロットに設定されたＳＲＳシンボル数に関する第１情報及びＳＲＳ送信のために設定されたシンボルの繰り返し回数に関する第２情報を端末に送信する。基地局は、ＳＲＳ送信のために設定されたシンボルの繰り返し回数が一つのスロットに設定されたＳＲＳシンボル数より大きいと、ＳＲＳ送信のために設定されたシンボルの繰り返し回数を一つのスロットに設定されたＳＲＳシンボル数と同じ値に決定(又は認識)する。基地局は、決定されたＳＲＳ送信のために設定されたシンボルの繰り返し回数に基づいてＳＲＳを受信する。
【０３３９】
基地局はＳＲＳ帯域幅を示す第１パラメータ値(ＢＳＲＳ)に関する情報とＳＲＳ周波数ホッピング帯域幅を示す第２パラメータ値(ｂｈｏｐ)に関する情報を端末に送信する。基地局は第１パラメータ値が第２パラメータ値より大きい場合、端末からＳＲＳを受信するが、この受信されたＳＲＳはスロットレベルに周波数ホッピングされて受信される。決定されたＳＲＳ送信のために設定されたシンボルの繰り返し回数は、少なくとも２つのスロットにわたった繰り返し回数である場合、基地局はＳＲＳを少なくとも２つのスロットにわたって受信する。一方、決定されたＳＲＳ送信のために設定されたシンボルの繰り返し回数は、一つのスロットにわたった繰り返し回数である場合、基地局はＳＲＳを一つのスロットにわたって受信するが、この場合、ＳＲＳは周波数ホッピングされていない形態で受信する。基地局は第１情報、第２情報、第１パラメータ値(ＢＳＲＳ)に関する情報とＳＲＳ周波数ホッピング帯域幅を示す第２パラメータ値(ｂｈｏｐ)に関する情報をＲＲＣシグナリングにより端末に送信する。
【０３４０】
図３９は提案６に関連するＳＲＳを送信するための端末及びＳＲＳを受信するための基地局のブロック図である。
【０３４１】
提案６に関連するＳＲＳを送信するための端末
【０３４２】
図３８を参照して説明すると、端末の受信機２３は、基地局から一つのスロットに設定されたＳＲＳシンボル数に関する第１情報及びＳＲＳ送信のために設定されたシンボルの繰り返し回数に関する第２情報を受信する。端末のプロセッサ２１は、ＳＲＳ送信のために設定されたシンボルの繰り返し回数が一つのスロットに設定されたＳＲＳシンボル数より大きいか否かを決定し、ＳＲＳ送信のために設定されたシンボルの繰り返し回数が一つのスロットに設定されたＳＲＳシンボル数より大きいと、ＳＲＳ送信のために設定されたシンボルの繰り返し回数を一つのスロットに設定されたＳＲＳシンボル数と同じ値に決定する。端末の送信機２３は、決定されたＳＲＳ送信のために設定されたシンボルの繰り返し回数に基づいてＳＲＳを送信する。端末の受信機２３は、基地局からＳＲＳ帯域幅を示す第１パラメータ値に関する情報とＳＲＳ周波数ホッピング帯域幅を示す第２パラメータ値に関する情報を受信する。端末のプロセッサ２１は、第１パラメータ値が第２パラメータ値より大きい場合、送信機２３がＳＲＳをスロットレベルにホッピングして送信するように制御する。端末の受信機２３は、第１情報、第２情報、第１パラメータ値(ＢＳＲＳ)に関する情報とＳＲＳ周波数ホッピング帯域幅を示す第２パラメータ値(ｂｈｏｐ)に関する情報をＲＲＣシグナリングにより基地局から受信する。
【０３４３】
提案６に関連するＳＲＳを受信するための基地局
【０３４４】
基地局の送信機１３は、一つのスロットに設定されたＳＲＳシンボル数に関する第１情報及びＳＲＳ送信のために設定されたシンボルの繰り返し回数に関する第２情報を端末に送信する。基地局のプロセッサ１１は、ＳＲＳ送信のために設定されたシンボルの繰り返し回数が一つのスロットに設定されたＳＲＳシンボル数より大きいと、ＳＲＳ送信のために設定されたシンボルの繰り返し回数を一つのスロットに設定されたＳＲＳシンボル数と同じ値に決定又は認識する。基地局の受信機１３は、決定されたＳＲＳ送信のために設定されたシンボルの繰り返し回数に基づいてＳＲＳを受信する。基地局の送信機１３は、ＳＲＳ帯域幅を示す第１パラメータ値に関する情報とＳＲＳ周波数ホッピング帯域幅を示す第２パラメータ値に関する情報を端末に送信する。第１パラメータ値が第２パラメータ値より大きいと、基地局の受信機１３はスロットレベルに(周波数)ホッピングされた形態でＳＲＳを受信する。
【０３４５】
決定されたＳＲＳ送信のために設定されたシンボルの繰り返し回数が、少なくとも２つのスロットにわたった繰り返し回数である場合、基地局の受信機１３はＳＲＳを少なくとも２つのスロットにわたって受信する。一方、決定されたＳＲＳ送信のために設定されたシンボルの繰り返し回数が、一つのスロットにわたった繰り返し回数であると、基地局の受信機１３は一つのスロットにわたって周波数ホッピングされていない形態でＳＲＳを受信する。基地局の送信機１３は、第１情報、第２情報、第１パラメータ値(ＢＳＲＳ)に関する情報とＳＲＳ周波数ホッピング帯域幅を示す第２パラメータ値(ｂｈｏｐ)に関する情報をＲＲＣシグナリングにより端末に送信する。
【０３４６】
繰り返しスロット数の定義
【０３４７】
他の実施例として、繰り返しスロット数を定義する。ここで、繰り返しスロット数はＳＲＳの送信のために繰り返しが行われるスロットの数を意味する。従って、繰り返しスロット数(Ｒ)と繰り返しシンボル数(ｒ)の組み合わせにより、ｉｎｔｒａ−ｓｌｏｔホッピング、Ｉｎｔｅｒ−ｓｌｏｔホッピング、シンボルレベルの繰り返し、スロットレベルの繰り返しが行われる。以下の数９は繰り返しスロット数(Ｒ)を考慮したｎＳＲＳを示す式である。
【０３４８】
【数９】
2020537437.tif 000081
【０３４９】
Ｎｓｙｍｂｏｌは一つのスロットに設定されたＳＲＳシンボル数である。Ｎｓは一つの無線フレーム内のスロット数である。
2020537437.tif 000082
はＳＲＳが設定されたシンボルインデックス{０、…、Ｎｓｙｍｂｏｌ−１}である。ｎfは無線フレームインデックスを意味し、ｎsは一つの無線フレーム内のスロットインデックスを示す。ＴＳＲＳは端末特定のサウンディング参照信号を送信した周期を示す。ｒはスロット内でＳＲＳの繰り返しシンボル数を示す。ＲはＳＲＳ送信のための繰り返しが行われるスロット数を意味する。
【０３５０】
この場合、ｒ値はスロット内のシンボル数によって制限される。Ｎｓｙｍｂｏｌ＝４である場合、ｒ＝{１,２,４}であり、Ｎsymbol＝２である場合、ｒ＝{１,２}値になる。
【０３５１】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更されてもよい。ある実施例の一部構成や特徴は、他の実施例に含まれてもよく、他の実施例の対応する構成又は特徴に取り替わってもよい。特許請求の範囲において明示的な引用関係にない請求項を結合して実施例を構成したり、出願後の補正により新しい請求項として含めたりできるということは明らかである。
【０３５２】
本発明は、本発明の特徴から逸脱しない範囲で別の特定の形態に具体化できるということが当業者にとっては自明である。したがって、上記の詳細な説明は、いずれの面においても制限的に解釈してはならず、例示的なものとして考慮しなければならない。本発明の範囲は、添付の請求項の合理的な解釈によって決定すべきであり、本発明の等価的範囲内における変更はいずれも本発明の範囲に含まれる。
【産業上の利用可能性】
【０３５３】
ＳＲＳを送信及び受信する方法と、そのための通信装置は、３ＧＰＰ ＬＴＥ／ＬＴＥ−Ａシステム、ＮＲ(５Ｇ)通信システムなどの様々な無線通信システムにおいて産業上利用可能である。
【図１】
2020537437.tif 000083
【図２ａ】
2020537437.tif 000084
【図２ｂ】
2020537437.tif 000085
【図３】
2020537437.tif 000086
【図４】
2020537437.tif 000087
【図５】
2020537437.tif 000088
【図６】
2020537437.tif 000089
【図７】
2020537437.tif 000090
【図８】
2020537437.tif 000091
【図９】
2020537437.tif 000092
【図１０】
2020537437.tif 000093
【図１１】
2020537437.tif 000094
【図１２】
2020537437.tif 000095
【図１３】
2020537437.tif 000096
【図１４】
2020537437.tif 000097
【図１５】
2020537437.tif 000098
【図１６】
2020537437.tif 000099
【図１７】
2020537437.tif 000100
【図１８】
2020537437.tif 000101
【図１９】
2020537437.tif 000102
【図２０】
2020537437.tif 000103
【図２１】
2020537437.tif 000104
【図２２】
2020537437.tif 000105
【図２３】
2020537437.tif 000106
【図２４】
2020537437.tif 000107
【図２５】
2020537437.tif 000108
【図２６】
2020537437.tif 000109
【図２７】
2020537437.tif 000110
【図２８】
2020537437.tif 000111
【図２９】
2020537437.tif 000112
【図３０】
2020537437.tif 000113
【図３１】
2020537437.tif 000114
【図３２】
2020537437.tif 000115
【図３３】
2020537437.tif 000116
【図３４】
2020537437.tif 000117
【図３５】
2020537437.tif 000118
【図３６】
2020537437.tif 000119
【図３７】
2020537437.tif 000120
【図３８】
2020537437.tif 000121
【図３９】
2020537437.tif 000122
【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
端末がサウンディング参照信号(Ｓｏｕｎｄｉｎｇ Ｒｅｆｅｒｅｎｃｅ Ｓｉｇｎａｌ、ＳＲＳ)を送信する方法であって、
基地局から一つのスロットに設定されたＳＲＳシンボルの数に関する第１情報及びＳＲＳ伝送のために設定されたシンボルの繰り返し回数に関する第２情報を受信する段階と、
前記第１情報及び前記第２情報に基づいて前記ＳＲＳを送信する段階であって、前記ＳＲＳ伝送のために設定されたシンボルの繰り返し回数がＲであり、前記一つのスロットに設定されたＳＲＳシンボルの数がＮである、段階とを含み、
前記ＳＲＳがイントラスロット又はインタースロット周波数ホッピングで送信されるかは、前記Ｒと前記Ｎと前記Ｒの比に基づいて決定される、ＳＲＳ送信方法。
【請求項２】
前記基地局からＳＲＳ帯域幅を示す第１パラメータ値に関する情報とＳＲＳ周波数ホッピング帯域幅を示す第２パラメータ値に関する情報を受信する段階をさらに含み、
前記第１パラメータ値が前記第２パラメータ値より大きいことに基づいて、前記ＳＲＳはスロットレベルにホッピングされて送信される、請求項１に記載のＳＲＳ送信方法。
【請求項３】
前記ＳＲＳ伝送のために設定されたシンボルの繰り返し回数は、少なくとも２つのスロットにわたる繰り返し回数であり、
前記ＳＲＳは前記少なくとも２つのスロットにわたって送信される、請求項１に記載のＳＲＳ送信方法。
【請求項４】
前記ＳＲＳ伝送のために設定されたシンボルの繰り返し回数は、前記一つのスロットにわたる繰り返し回数であり、
前記ＳＲＳは前記一つのスロットにわたって周波数ホッピングなしに送信される、請求項１に記載のＳＲＳ送信方法。
【請求項５】
前記第１情報及び前記第２情報はＲＲＣ(Ｒａｄｉｏ Ｒｅｓｏｕｒｃｅ Ｃｏｎｔｒｏｌ)シグナリングにより受信される、請求項１に記載のＳＲＳ送信方法。
【請求項６】
基地局がサウンディング参照信号(Ｓｏｕｎｄｉｎｇ Ｒｅｆｅｒｅｎｃｅ Ｓｉｇｎａｌ、ＳＲＳ)を受信する方法であって、
一つのスロットに設定されたＳＲＳシンボルの数に関する第１情報及びＳＲＳ伝送のために設定されたシンボルの繰り返し回数に関する第２情報を端末に送信する段階と、
前記第１情報及び前記第２情報に基づいて前記ＳＲＳを受信する段階であって、前記ＳＲＳ伝送のために設定されたシンボルの繰り返し回数がＲであり、前記一つのスロットに設定されたＳＲＳシンボルの数がＮである、段階とを含み、
前記ＳＲＳがイントラスロット又はインタースロット周波数ホッピングで送信されるかは、前記Ｒと前記Ｎと前記Ｒの比に基づいて決定される、ＳＲＳ受信方法。
【請求項７】
ＳＲＳ帯域幅を示す第１パラメータ値に関する情報とＳＲＳ周波数ホッピング帯域幅を示す第２パラメータ値に関する情報を前記端末に送信する段階をさらに含み、
前記第１パラメータ値が前記第２パラメータ値より大きいことに基づいて、前記ＳＲＳはスロットレベルにホッピングされて受信される、請求項６に記載のＳＲＳ受信方法。
【請求項８】
前記ＳＲＳ伝送のために設定されたシンボルの繰り返し回数は、少なくとも２つのスロットにわたる繰り返し回数であり、
前記ＳＲＳは前記少なくとも２つのスロットにわたって受信される、請求項６に記載のＳＲＳ受信方法。
【請求項９】
前記ＳＲＳ伝送のために設定されたシンボルの繰り返し回数は、前記一つのスロットにわたる繰り返し回数であり、
前記ＳＲＳは前記一つのスロットにわたって周波数ホッピングなしに受信される、請求項６に記載のＳＲＳ受信方法。
【請求項１０】
前記第１情報及び前記第２情報はＲＲＣ(Ｒａｄｉｏ Ｒｅｓｏｕｒｃｅ Ｃｏｎｔｒｏｌ)シグナリングにより送信される、請求項６に記載のＳＲＳ受信方法。
【請求項１１】
サウンディング参照信号(Ｓｏｕｎｄｉｎｇ Ｒｅｆｅｒｅｎｃｅ Ｓｉｇｎａｌ、ＳＲＳ)を送信する端末であって、
受信機と、送信機と、プロセッサとを含み、
前記受信機は、基地局から一つのスロットに設定されたＳＲＳシンボルの数に関する第１情報及びＳＲＳ伝送のために設定されたシンボルの繰り返し回数に関する第２情報を受信するように構成され、
前記送信機は、前記第１情報及び前記第２情報に基づいて前記ＳＲＳを送信するように構成され、
前記ＳＲＳ伝送のために設定されたシンボルの繰り返し回数がＲであり、前記一つのスロットに設定されたＳＲＳシンボルの数がＮであり、
前記ＳＲＳがイントラスロット又はインタースロット周波数ホッピングで送信されるかは、前記Ｒと前記Ｎと前記Ｒの比に基づいて決定される、端末。
【請求項１２】
前記受信機は前記基地局からＳＲＳ帯域幅を示す第１パラメータ値に関する情報とＳＲＳ周波数ホッピング帯域幅を示す第２パラメータ値に関する情報を受信し、
前記プロセッサは、前記第１パラメータ値が前記第２パラメータ値より大きいことに基づいて、前記送信機が前記ＳＲＳをスロットレベルにホッピングして送信するように制御する、請求項１１に記載の端末。
【請求項１３】
前記受信機は前記第１情報及び前記第２情報をＲＲＣ(Ｒａｄｉｏ Ｒｅｓｏｕｒｃｅ Ｃｏｎｔｒｏｌ)シグナリングにより受信する、請求項１１に記載の端末。
【請求項１４】
サウンディング参照信号(Ｓｏｕｎｄｉｎｇ Ｒｅｆｅｒｅｎｃｅ Ｓｉｇｎａｌ、ＳＲＳ)を受信する基地局であって、
受信機と、送信機と、プロセッサとを含み、
前記送信機は、一つのスロットに設定されたＳＲＳシンボルの数に関する第１情報及びＳＲＳ伝送のために設定されたシンボルの繰り返し回数に関する第２情報を端末に送信すように構成され、
前記受信機は、前記第１情報及び前記第２情報に基づいて前記ＳＲＳを受信するように構成され、
前記ＳＲＳ伝送のために設定されたシンボルの繰り返し回数がＲであり、前記一つのスロットに設定されたＳＲＳシンボルの数がＮであり、前記ＳＲＳがイントラスロット又はインタースロット周波数ホッピングで送信されるかは、前記Ｒと前記Ｎと前記Ｒの比に基づいて決定される、基地局。
【請求項１５】
前記送信機はＳＲＳ帯域幅を示す第１パラメータ値に関する情報とＳＲＳ周波数ホッピング帯域幅を示す第２パラメータ値に関する情報を前記端末に送信し、
前記プロセッサは前記第１パラメータ値が前記第２パラメータ値えより大きいことに基づいて、前記受信機がスロットレベルにホッピングされたＳＲＳを受信するように制御する、請求項１４に記載の基地局。
【請求項１６】
前記ＳＲＳシンボルは隣接するシンボルであり、
前記Ｎは、１，２及び４のいずれか一つであり、前記Ｒは、１、２及び４のいずれか一つである、請求項１に記載のＳＲＳ送信方法。
【請求項１７】
前記ＳＲＳシンボルは隣接するシンボルであり、
前記Ｎは、１，２及び４のいずれか一つであり、前記Ｒは、１、２及び４のいずれか一つである、請求項６に記載のＳＲＳ受信方法。
【請求項１８】
前記ＳＲＳシンボルは隣接するシンボルであり、
前記Ｎは、１，２及び４のいずれか一つであり、前記Ｒは、１、２及び４のいずれか一つである、請求項１１に記載の端末。
【請求項１９】
前記ＳＲＳシンボルは隣接するシンボルであり、
前記Ｎは、１，２及び４のいずれか一つであり、前記Ｒは、１、２及び４のいずれか一つである、請求項１４に記載の基地局。
【請求項２０】
前記端末は、他の端末、自動運転車両、基地局又はネットワークに関連した端末の少なくとも一つと通信可能である、請求項１１に記載の端末。
【国際調査報告】
2020537437.tif 000123
2020537437.tif 000124
2020537437.tif 000125
2020537437.tif 000126